(57)【要約】  複数のサブキャリアからなる無線のマルチキャリア信号を重畳して伝送する通信システムは、干渉信号が存在しない周波数帯域である非重畳帯域と前記干渉信号が存在する周波数帯域である重畳帯域との双方または前記非重畳帯域に対して、前記非重畳帯域を優先し、送信データに基づいて生成される所定のデータの割り当てを行ない、前記割り当てに基づいて前記マルチキャリア信号を生成して送信する送信装置と、前記送信装置から送信された前記マルチキャリア信号を受信する受信装置とを具備する。
2010070898.tif 000002
【特許請求の範囲】
【請求項１】
複数のサブキャリアからなる無線のマルチキャリア信号を重畳して伝送する通信システムであって、
干渉信号が存在しない周波数帯域である非重畳帯域と前記干渉信号が存在する周波数帯域である重畳帯域との双方または前記非重畳帯域に対して、前記非重畳帯域を優先し、送信データから生成される所定のデータの割り当てを行ない、前記割り当てに基づいて前記マルチキャリア信号を生成して送信する送信装置と、
前記送信装置から送信された前記マルチキャリア信号を受信する受信装置と
を具備する通信システム。
【請求項２】
前記送信装置は、
誤り訂正符号化を適用して、前記送信データからシステマティックビット及びパリティビットを生成する符号化部と、
前記マルチキャリア信号の使用周波数帯域における前記重畳帯域の情報に基づいて、前記使用周波数帯域における前記非重畳帯域に前記符号化部により生成された前記システマティックビットを優先的に割り当てるとともに、前記符号化部により生成された前記パリティビットを前記重畳帯域に優先的に割り当てるデータ割当部と、
前記システマティックビット及び前記パリティビットを前記データ割当部により割り当てられた周波数帯域のサブキャリアに変調する変調部と、
前記変調部により各サブキャリアに変調された信号から前記マルチキャリア信号を生成するマルチキャリア信号変調部とを備え、
前記受信装置は、
前記送信装置から受信した前記マルチキャリア信号をサブキャリア毎に復調するマルチキャリア信号復調部と、
前記マルチキャリア信号復調部により復調された各サブキャリアの受信信号を復調する復調部と、
前記マルチキャリア信号の前記使用周波数帯域における前記重畳帯域の前記情報に基づいて、前記システマティックビット及び前記パリティビットそれぞれの使用周波数帯域を得て、得られた前記使用周波数帯域に基づいて、前記復調部によって復調された各サブキャリアの前記受信信号から前記パリティビット及び前記システマティックビットを抽出するデータ抽出部と、
前記データ抽出部により抽出された前記システマティックビット及び前記パリティビットを用いて前記送信データを復号する復号部とを備え、
前記所定のデータは前記システマティックビットである請求項１に記載の通信システム。
【請求項３】
前記送信装置は、前記符号化部により生成された前記システマティックビットのインタリーブを行ない、前記変調部に出力するシステマティックビット用インタリーバをさらに備え、
前記受信装置は、前記データ抽出部により抽出された前記システマティックビットのデインタリーブを行ない、前記復号部に出力するシステマティックビット用デインタリーバをさらに備える請求項２に記載の通信システム。
【請求項４】
前記送信装置は、前記符号化部により生成された前記パリティビットのインタリーブを行ない、前記変調部に出力するパリティビット用インタリーバをさらに備え、
前記受信装置は、前記データ抽出部により抽出された前記パリティビットのデインタリーブを行ない、前記復号部に出力するパリティビット用デインタリーバをさらに備える請求項３に記載の通信システム。
【請求項５】
前記送信装置は、前記データ割当部により前記非重畳帯域に割り当てられた前記システマティックビット及び前記パリティビットのインタリーブを行ない、前記変調部に出力する非重畳帯域用インタリーバをさらに備え、
前記受信装置は、前記復調部により前記非重畳帯域のサブキャリアから復調された受信信号のデインタリーブを行ない、前記データ抽出部に出力する非重畳帯域用デインタリーバをさらに備える請求項２に記載の通信システム。
【請求項６】
前記送信装置は、前記データ割当部により前記重畳帯域に割り当てられた前記パリティビットのインタリーブを行ない、前記変調部に出力する重畳帯域用インタリーバをさらに備え、
前記受信装置は、前記復調部により前記重畳帯域のサブキャリアから復調された受信信号のデインタリーブを行い、前記データ抽出部に出力する重畳帯域用デインタリーバをさらに備える請求項５に記載の通信システム。
【請求項７】
前記符号化部は、前記非重畳帯域に対する前記重畳帯域の割合よりも、前記システマティックビットのビット列に対する前記パリティビットビットのビット列の割合が大きくなる符号化率によって前記誤り訂正符号化を適用する請求項２から請求項６のいずれかの項に記載の通信システム。
【請求項８】
前記通信システムは、誤り訂正符号化を適用して前記無線のマルチキャリア信号を伝送するマルチキャリア無線通信システムであって、
前記受信装置は、
受信した前記マルチキャリア信号をサブキャリアごとに復調する復調部と、
受信した前記マルチキャリア信号における前記重畳帯域を表す重畳帯域情報を生成する重畳帯域情報生成部と、
前記重畳帯域情報を前記送信装置に送信する重畳帯域情報信号送信部と、
前記複数のサブキャリアのうち、干渉が生じているサブキャリアに対し、他のサブキャリアと比して、前記誤り訂正符号化における信頼度を低減させるサブキャリアごとの重み付け係数を生成する重み付け係数生成部と、
前記復調部によって復調される前記マルチキャリア信号のサブキャリアの復調値に前記重み付け係数を適用する重み付け演算処理を行う重み付け演算部と、
前記重み付け演算部によって算出されるサブキャリアごとの値を用いて、誤り訂正処理及び復号処理を行う復号化部と、
前記復号化部によって復号化されたビット列について、誤り検出符号に基づいて誤りが生じているか否か検出し、誤りが生じている場合には前記送信装置に対し再送指示情報を送信する誤り判定部と、
前記誤り判定部が前記再送指示情報を送信した場合、前記送信装置から再送される信号に係る前記ビット列に基づいて、再送されたビット列を生成する再送信号受信制御部と、
を備え、
前記送信装置は、
前記送信データに対し前記誤り検出符号を付与し、誤り訂正符号化を行い、符号化ビットを生成する符号化部と、
前記符号化ビットを変調し複数の変調シンボルを生成する変調部と、
各変調シンボルを各サブキャリアに配置し変調信号を生成するサブキャリア割当部と、
前記変調信号から送信信号を生成し送信する送信部と、
前記変調シンボルを一時的に記憶し、前記再送指示情報及び前記重畳帯域情報を受信し、再送の指示がなされた場合に、前記重畳帯域情報に基づいて干渉が生じていないサブキャリアを選択し、前記一時的に記憶されている変調シンボルのうち再送すべき変調シンボルを、選択した前記サブキャリアに対して配置し再送することを前記サブキャリア割当部に指示する再送制御部と、
を備え、
前記所定のデータは前記再送すべき変調シンボルである請求項１に記載の通信システム。
【請求項９】
前記再送制御部は、前記再送すべき変調シンボルの数が、前記干渉が生じていないサブキャリアの数よりも多い場合は、前記干渉が生じていないサブキャリアのみを用いた再送を複数回行うことによって前記再送すべき変調シンボルを全て送信し、前記再送すべき変調シンボルが複数回にわたって送信されることを表す再送制御情報をさらに送信し、
前記再送信号受信制御部は、前記再送制御情報に基づいて、前記複数回にわたって送信された各ビット列を合成することによって、再送されたビット列を生成する請求項８に記載の通信システム。
【請求項１０】
前記送信装置は、利用可能な周波数帯域に含まれる複数のサブキャリアを複数の受信装置に割り当てることによって、前記複数の受信装置に対し無線通信を行い、
前記再送制御部は、前記利用可能な周波数帯域に含まれる全てのサブキャリアの中から、前記再送に用いるための前記干渉が生じていないサブキャリアを選択する請求項８又は９に記載の通信システム。
【請求項１１】
前記再送制御部は、前記利用可能な周波数帯域に含まれる全てのサブキャリアの中から、前記干渉が生じているサブキャリアから周波数軸上で最も離れた複数のサブキャリアを選択する請求項１０に記載の通信システム。
【請求項１２】
複数のサブキャリアからなる無線のマルチキャリア信号を重畳して伝送する通信システムにおける送信装置であって、
干渉信号が存在しない周波数帯域である非重畳帯域と前記干渉信号が存在する周波数帯域である重畳帯域との双方または前記非重畳帯域に対して、前記非重畳帯域を優先し、送信データから生成される所定のデータの割り当てを行なうデータ割当部を具備し、
前記割り当てに基づいて前記マルチキャリア信号を生成して送信する送信装置。
【請求項１３】
誤り訂正符号化を適用して、前記送信データからシステマティックビット及びパリティビットを生成する符号化部をさらに備え、
前記データ割当部は、前記マルチキャリア信号の使用周波数帯域における前記重畳帯域の情報に基づいて、前記使用周波数帯域における前記非重畳帯域に前記符号化部により生成された前記システマティックビットを優先的に割り当てるとともに、前記符号化部により生成された前記パリティビットを前記重畳帯域に優先的に割り当て、
前記システマティックビット及び前記パリティビットを前記データ割当部により割り当てられた周波数帯域のサブキャリアに変調する変調部と、
前記変調部により各サブキャリアに変調された信号から前記マルチキャリア信号を生成するマルチキャリア信号変調部と、
をさらに備え、
前記所定のデータは前記システマティックビットである請求項１２に記載の送信装置。
【請求項１４】
複数のサブキャリアからなる無線のマルチキャリア信号を受信する受信装置であって、
送信装置から受信した前記マルチキャリア信号をサブキャリア毎に復調するマルチキャリア信号復調部と、
前記マルチキャリア信号復調部により復調された各サブキャリアの受信信号を復調する復調部と、
前記マルチキャリア信号の使用周波数帯域における重畳帯域の情報に基づいて、システマティックビット及びパリティビットそれぞれの使用周波数帯域を得て、得られた前記使用周波数帯域に基づいて、前記復調部によって復調された各サブキャリアの前記受信信号から前記パリティビット及び前記システマティックビットを抽出するデータ抽出部と、
前記データ抽出部により抽出された前記システマティックビット及び前記パリティビットを用いて送信データを復号する復号部と、
を備える受信装置。
【請求項１５】
複数のサブキャリアからなる無線のマルチキャリア信号を重畳して伝送する通信システムに用いられる通信方法であって、
送信装置が、干渉信号が存在しない周波数帯域である非重畳帯域と前記干渉信号が存在する周波数帯域である重畳帯域との双方または前記非重畳帯域に対して、前記非重畳帯域を優先し、送信データから生成される所定のデータの割り当てを行うデータ割当ステップと、
前記送信装置が、前記割り当てに基づいて前記マルチキャリア信号を生成して送信するステップと、
受信装置が、送信された前記マルチキャリア信号を受信するステップと
を有する通信方法。
【請求項１６】
前記送信装置が、誤り訂正符号化を適用して、前記送信データからシステマティックビット及びパリティビットを生成する符号化ステップをさらに備え、
前記データ割当ステップにおいて、前記送信装置が、前記マルチキャリア信号の使用周波数帯域における前記重畳帯域の情報に基づいて、前記使用周波数帯域における前記非重畳帯域に前記符号化ステップにおいて生成された前記システマティックビットを優先的に割り当てるとともに、前記符号化ステップにおいて生成された前記パリティビットを前記重畳帯域に優先的に割り当て、
前記送信装置が、前記システマティックビット及び前記パリティビットを前記データ割当ステップにおいて割り当てられた周波数帯域のサブキャリアに変調する変調ステップと、
前記送信装置が、前記変調ステップにおいて各サブキャリアに変調された信号から前記マルチキャリア信号を生成するマルチキャリア信号変調ステップと、
前記受信装置が、前記送信装置から受信した前記マルチキャリア信号をサブキャリア毎に復調するマルチキャリア信号復調ステップと、
前記受信装置が、前記マルチキャリア信号復調ステップにおいて復調された各サブキャリアの受信信号を復調する復調ステップと、
前記受信装置が、前記マルチキャリア信号の前記使用周波数帯域における前記重畳帯域の前記情報に基づいて、前記システマティックビット及び前記パリティビットそれぞれの使用周波数帯域を得て、得られた前記使用周波数帯域に基づいて、前記復調ステップによって復調された各サブキャリアの前記受信信号から前記パリティビット及び前記システマティックビットを抽出するデータ抽出ステップと、
前記受信装置が、前記データ抽出ステップにおいて抽出された前記システマティックビット及び前記パリティビットを用いて前記送信データを復号する復号ステップと、
をさらに有し、
前記所定のデータは前記システマティックビットである請求項１５に記載の通信方法。
【請求項１７】
前記通信方法は、誤り訂正符号化を適用して前記無線のマルチキャリア信号を伝送するマルチキャリア無線通信方法であって、
前記受信装置が、受信した前記マルチキャリア信号をサブキャリアごとに復調する復調ステップと、
前記受信装置が、受信した前記マルチキャリア信号における前記重畳帯域を表す重畳帯域情報を生成する重畳帯域情報生成ステップと、
前記受信装置が、前記重畳帯域情報を前記送信装置に送信する重畳帯域情報信号送信ステップと、
前記受信装置が、前記複数のサブキャリアのうち、前記干渉が生じているサブキャリアに対し、他のサブキャリアと比して、前記誤り訂正符号化における信頼度を低減させるサブキャリアごとの重み付け係数を生成する重み付け係数生成ステップと、
前記受信装置が、前記復調ステップにおいて復調される前記マルチキャリア信号のサブキャリアの復調値に前記重み付け係数を適用する重み付け演算処理を行う重み付け演算ステップと、
前記受信装置が、前記重み付け演算ステップにおいて算出されるサブキャリアごとの値を用いて、誤り訂正処理及び復号処理を行う復号化ステップと、
前記受信装置が、前記復号化ステップにおいて復号化されたビット列について、誤り検出符号に基づいて誤りが生じているか否か検出し、誤りが生じている場合には前記送信装置に対し再送指示情報を送信する誤り判定ステップと、
前記受信装置が、前記誤り判定ステップにおいて前記再送指示情報を送信した場合、前記送信装置から再送される信号に係る前記ビット列に基づいて、再送されたビット列を生成する再送信号受信制御ステップと、
前記送信装置が、前記送信データに対し前記誤り検出符号を付与し、誤り訂正符号化を行い、符号化ビットを生成する符号化ステップと、
前記送信装置が、前記符号化ビットを変調し複数の変調シンボルを生成する変調ステップと、
前記送信装置が、各変調シンボルを各サブキャリアに配置し変調信号を生成するサブキャリア割当ステップと、
前記送信装置が、前記変調信号から送信信号を生成し送信する送信ステップと、
前記送信装置が、前記変調シンボルを一時的に記憶し、前記再送指示情報及び前記重畳帯域情報を受信し、再送の指示がなされた場合に、前記重畳帯域情報に基づいて干渉が生じていないサブキャリアを選択し、前記一時的に記憶されている変調シンボルのうち再送すべき変調シンボルを、選択した前記サブキャリアに対して配置し再送するステップと、
を備え、
前記所定のデータは前記再送すべき変調シンボルである請求項１５に記載の通信方法。
【請求項１８】
複数のサブキャリアからなる無線のマルチキャリア信号を重畳して伝送する通信システムに用いられる送信方法であって、
干渉信号が存在しない周波数帯域である非重畳帯域と前記干渉信号が存在する周波数帯域である重畳帯域との双方または前記非重畳帯域に対して、前記非重畳帯域を優先し、送信データから生成される所定のデータの割り当てを行うデータ割当ステップと
前記割り当てに基づいて前記マルチキャリア信号を生成して送信するステップと
を有する送信方法。
【発明の詳細な説明】
【技術分野】
【０００１】
本発明は、マルチキャリア信号の通信システム、送信装置、受信装置、送信方法及び通信方法に関する。より詳しくは、本発明は、干渉信号が存在する無線通信環境においてマルチキャリア伝送方式により無線通信を行う場合の通信システム、送信装置、受信装置、送信方法及び通信方法に関する。【０００２】
本願は、２００８年１２月１８日に日本へ出願された特願２００８−３２２８６４号、および、２００８年１２月１９日に日本へ出願された特願２００８−３２４７０１号に基づき優先権を主張し、それらの内容をここに援用する。
【背景技術】
【０００３】
近年、無線通信の普及に伴い近接した周波数帯に様々な無線システムの電波が存在している。一般に所望の信号（以下、「所望信号」という。）を所定の品質で受信するためには、所望信号以外の干渉信号が無いことが望ましい。換言すると、受信装置が所望信号とともに干渉信号を受信した場合、受信装置における所望信号の受信精度は低下し、送信されたデータを正確に復元することが難しくなる。【０００４】
このような問題に対し、干渉信号が存在する周波数帯域を検出し、所望信号の周波数帯域を干渉信号と異なる周波数帯域にシフトして配置する干渉回避動作によって、所望信号の受信精度を向上させることが可能である。しかしながら、このような場合、所望信号及び干渉信号全体が占有する総周波数帯域幅は少なくとも各信号の周波数帯域幅の総和以上必要となるため、周波数利用効率の観点からは望ましい方法ではない。【０００５】
一方で、周波数軸上で隣接する信号に前方誤り訂正符号を適用したマルチキャリア伝送方式を導入し、送信信号スペクトラムが周波数軸上でオーバーラップすることを許容して、各々の送信装置が信号を送信することによって、複数システム全体の占有周波数帯域幅を削減し、周波数利用効率を向上する技術が提案されている。この技術では、受信装置が、パイロット信号やヌル信号区間など任意の手段に基づいて干渉信号の存在する周波数位置・帯域を検出し、検出した干渉信号の周波数位置のマルチキャリア信号および干渉信号を抑圧するフィルタリングもしくは等価な重み付け信号処理を行い、フィルタリングによって抑圧された後のマルチキャリア信号の各サブキャリアを復調し、復調された信号に対して誤り訂正を実施する。これにより、干渉信号の影響を受けていない周波数位置のサブキャリアによる誤り訂正効果を適切に引き出し、干渉信号の影響を受けたサブキャリアにおけるデータを復元し、データを正しく受信することが可能となる。以下、このような伝送技術をマルチキャリア重畳伝送と呼ぶ。【０００６】
このように、近年の無線通信分野においては、周波数共用型の無線通信が求められている。図３６は、周波数帯域を共用する無線通信システムの組合せの一例として、周波数チャンネルが異なる２つの無線ＬＡＮ（Local Area Network）システムの全体を示す概念図である。
同図において、無線通信システムは、無線ＬＡＮ基地局２ａ、２ｂと、受信装置１ａとを備えている。無線ＬＡＮ基地局２ａは、中心周波数ｆａであるＣＨ１の周波数帯域を用いて通信する。一方、無線ＬＡＮ基地局２ｂは、中心周波数ｆｂ（ただし、ｆａ＜ｆｂ）であるＣＨ５の周波数帯域を用いて通信する。【０００７】
このとき受信装置１ａは、無線ＬＡＮ基地局２ａと無線ＬＡＮ基地局２ｂとの双方の無線信号が到達する位置に配置され、中心周波数ｆａの無線信号と中心周波数ｆｂの無線信号との二つの無線信号が部分的に互いに干渉した信号を受信する。
このように、受信装置１ａが無線ＬＡＮ基地局２ａを通信対象とする場合に、中心周波数ｆａである所望信号の送信周波数帯域と、中心周波数ｆｂである無線ＬＡＮ基地局２ｂからの干渉信号の送信周波数帯域とが、部分的にオーバーラップ（重複）する周波数共用型の無線通信においても、受信装置１ａは、所望信号を正確に受信することが必須となる。
なお、周波数帯域を共用する他の例として、無線ＬＡＮシステムと、ｂｌｕｅｔｏｏｔｈ（登録商標）と、ＷｉＭＡＸ（登録商標）との組み合わせなど、異なる通信方式のシステム同士が周波数共用する場合もある。【０００８】
一方、非特許文献１には、所望信号を正確に受信するための誤り訂正符号の一つであるターボ符号の仕組みと、ターボ符号をマルチキャリア信号であるＯＦＤＭ（Orthogonal Frequency Division Multiplexing：直交周波数分割多重）に組み合わせた際の受信特性について詳細に記載されている。【０００９】
また、双方向通信システムでは、送信データが無事に受信されなかった場合の補償技術として再送技術が採用されることがある。例えば、ＡＲＱ（Automatic repeat request）誤り制御方式では、受信装置において誤り検出処理を行い、誤りが検出されない場合にはＡＣＫ（ACKnowledgement）を送信装置に送信し、誤りが検出された場合にはＮＡＣＫ（Negative ACKnowledgement）を送信装置に送信する。ＮＡＣＫを受信した送信装置は、ＡＣＫが受信されるまでＮＡＣＫに対応するデータを再送する。
【先行技術文献】
【非特許文献】
【００１０】
【非特許文献１】Jin Young Kim, "Performance of OFDM/CDMA system with turbo coding in a multipath fading channel," IEEE Transactions on Consumer Electronics, Vol. 45, No. 2, pp. 372-379, MAY 1999
【非特許文献２】寺田浩詔、外４名，「大学課程  情報通信工学」，株式会社オーム社，１９９３年３月２５日，ｐｐ．２４−２５
【発明の概要】
【発明が解決しようとする課題】
【００１１】
無線信号の誤りを訂正し、正確に所望信号を受信するために、例えば上述したターボ符号のようなＦＥＣ（Forward Error Correction：前方誤り訂正）符号が用いられている。ＦＥＣ符号では、入力ビット系列であるシステマティックビットと、誤り訂正ビット系列であるパリティビット、あるいは、パリティビットをパンクチャリング（間引き）したパンクチャドパリティビットとが生成されるタイプのものがある。このようなＦＥＣ符号を使用する場合、同じ符号化率であれば、システマティックビットを正しく受信する割合が高いほうが、パリティビットを正しく受信する割合が高いときよりも、より正確に所望信号を受信できることが知られている。つまり、図３６に示すように干渉が発生しているマルチキャリア無線通信システムの場合、干渉が発生していない周波数帯域においてシステマティックビットを送信することで、より正確に所望信号を受信することができる。
しかし従来は、システマティックビットとパリティビットとを区別せずに、複数サブキャリアに分散配置しているため、システマティックビットの受信品質の劣化が原因でＢＥＲ（Bit Error Rate）特性が飽和する可能性があった。【００１２】
また、無線通信では、一般的に伝搬路環境が時間に応じて変動するため、ＡＲＱによって再送を繰り返すうちに伝搬路環境が改善し正常な送信処理が完了することが多い。しかしながら、マルチキャリア重畳伝送では、周波数帯域の利用効率の向上のために、積極的に干渉信号と一部の周波数帯域において干渉を起こすように所望信号が送信される。このような干渉信号は、特定の周波数帯域に存在し続ける場合があり、このような場合には時間に応じて伝搬路環境が改善しない。そのため、従来のＡＲＱによっては正常な送信処理が完了しないという問題が生じうる。【００１３】
本発明は、このような事情を考慮してなされたものであり、その目的は、マルチキャリア無線通信における受信品質を向上することが可能な通信システム、送信装置、受信装置、送信方法及び通信方法を提供することにある。
より具体的には、本発明の目的は、システマティックビット及びパリティビットを生成する誤り訂正を適用しているマルチキャリア無線通信システムにおいて、干渉が発生していない周波数帯域においてシステマティックビットを送信することにより受信品質を向上させることができる通信システム、送信装置、受信装置、送信方法及び通信方法を提供することにある。【００１４】
また、本発明の目的は、マルチキャリア重畳伝送による一部周波数帯域の電波干渉が原因で発生した復号誤りの対処策である再送処理に関し、再送時における誤り発生確率を低減し受信品質を改善することを可能とする通信システム、送信装置、受信装置、送信方法及び通信方法を提供することにある。
【課題を解決するための手段】
【００１５】
［１］上記課題を解決するため、本発明の通信システムは、複数のサブキャリアからなる無線のマルチキャリア信号を重畳して伝送する通信システムであって、干渉信号が存在しない周波数帯域である非重畳帯域と前記干渉信号が存在する周波数帯域である重畳帯域との双方または前記非重畳帯域に対して、前記非重畳帯域を優先し、送信データから生成される所定のデータの割り当てを行ない、前記割り当てに基づいて前記マルチキャリア信号を生成して送信する送信装置と、前記送信装置から送信された前記マルチキャリア信号を受信する受信装置とを具備している。【００１６】
［２］本発明の通信システムにおいて、前記送信装置は、誤り訂正符号化を適用して、前記送信データからシステマティックビット及びパリティビットを生成する符号化部と、前記マルチキャリア信号の使用周波数帯域における前記重畳帯域の情報に基づいて、前記使用周波数帯域における前記非重畳帯域に前記符号化部により生成された前記システマティックビットを優先的に割り当てるとともに、前記符号化部により生成された前記パリティビットを前記重畳帯域に優先的に割り当てるデータ割当部と、前記システマティックビット及び前記パリティビットを前記データ割当部により割り当てられた周波数帯域のサブキャリアに変調する変調部と、前記変調部により各サブキャリアに変調された信号から前記マルチキャリア信号を生成するマルチキャリア信号変調部とを備え、前記受信装置は、前記送信装置から受信した前記マルチキャリア信号をサブキャリア毎に復調するマルチキャリア信号復調部と、前記マルチキャリア信号復調部により復調された各サブキャリアの受信信号を復調する復調部と、前記マルチキャリア信号の前記使用周波数帯域における前記重畳帯域の前記情報に基づいて、前記システマティックビット及び前記パリティビットそれぞれの使用周波数帯域を得て、得られた前記使用周波数帯域に基づいて、前記復調部によって復調された各サブキャリアの前記受信信号から前記パリティビット及び前記システマティックビットを抽出するデータ抽出部と、前記データ抽出部により抽出された前記システマティックビット及び前記パリティビットを用いて前記送信データを復号する復号部とを備え、前記所定のデータは前記システマティックビットであっても良い。【００１７】
［３］本発明の通信システムにおいて、前記送信装置は、前記符号化部により生成された前記システマティックビットのインタリーブを行ない、前記変調部に出力するシステマティックビット用インタリーバをさらに備え、前記受信装置は、前記データ抽出部により抽出された前記システマティックビットのデインタリーブを行ない、前記復号部に出力するシステマティックビット用デインタリーバをさらに備えるようにしても良い。【００１８】
［４］本発明の通信システムにおいて、前記送信装置は、前記符号化部により生成された前記システマティックビットのインタリーブを行ない、前記変調部に出力するシステマティックビット用インタリーバをさらに備え、前記受信装置は、前記データ抽出部により抽出された前記システマティックビットのデインタリーブを行ない、前記復号部に出力するシステマティックビット用デインタリーバをさらに備えるようにしても良い。【００１９】
［５］本発明の通信システムにおいて、前記送信装置は、前記データ割当部により前記非重畳帯域に割り当てられた前記システマティックビット及び前記パリティビットのインタリーブを行ない、前記変調部に出力する非重畳帯域用インタリーバをさらに備え、前記受信装置は、前記復調部により前記非重畳帯域のサブキャリアから復調された受信信号のデインタリーブを行ない、前記データ抽出部に出力する非重畳帯域用デインタリーバをさらに備えるようにしても良い。【００２０】
［６］本発明の通信システムにおいて、前記送信装置は、前記データ割当部により前記重畳帯域に割り当てられた前記パリティビットのインタリーブを行ない、前記変調部に出力する重畳帯域用インタリーバをさらに備え、前記受信装置は、前記復調部により前記重畳帯域のサブキャリアから復調された受信信号のデインタリーブを行い、前記データ抽出部に出力する重畳帯域用デインタリーバをさらに備えるようにしても良い。【００２１】
［７］本発明の通信システムにおいて、前記符号化部は、前記非重畳帯域に対する前記重畳帯域の割合よりも、前記システマティックビットのビット列に対する前記パリティビットビットのビット列の割合が大きくなる符号化率によって前記誤り訂正符号化を適用するようにしても良い。【００２２】
［８］本発明の通信システムにおいて、前記通信システムは、誤り訂正符号化を適用して前記無線のマルチキャリア信号を伝送するマルチキャリア無線通信システムであって、前記受信装置は、受信した前記マルチキャリア信号をサブキャリアごとに復調する復調部と、受信した前記マルチキャリア信号における前記重畳帯域を表す重畳帯域情報を生成する重畳帯域情報生成部と、前記重畳帯域情報を前記送信装置に送信する重畳帯域情報信号送信部と、前記複数のサブキャリアのうち、干渉が生じているサブキャリアに対し、他のサブキャリアと比して、前記誤り訂正符号化における信頼度を低減させるサブキャリアごとの重み付け係数を生成する重み付け係数生成部と、前記復調部によって復調される前記マルチキャリア信号のサブキャリアの復調値に前記重み付け係数を適用する重み付け演算処理を行う重み付け演算部と、前記重み付け演算部によって算出されるサブキャリアごとの値を用いて、誤り訂正処理及び復号処理を行う復号化部と、前記復号化部によって復号化されたビット列について、誤り検出符号に基づいて誤りが生じているか否か検出し、誤りが生じている場合には前記送信装置に対し再送指示情報を送信する誤り判定部と、前記誤り判定部が前記再送指示情報を送信した場合、前記送信装置から再送される信号に係る前記ビット列に基づいて、再送されたビット列を生成する再送信号受信制御部と、を備え、前記送信装置は、前記送信データに対し前記誤り検出符号を付与し、誤り訂正符号化を行い、符号化ビットを生成する符号化部と、前記符号化ビットを変調し複数の変調シンボルを生成する変調部と、各変調シンボルを各サブキャリアに配置し変調信号を生成するサブキャリア割当部と、前記変調信号から送信信号を生成し送信する送信部と、前記変調シンボルを一時的に記憶し、前記再送指示情報及び前記重畳帯域情報を受信し、再送の指示がなされた場合に、前記重畳帯域情報に基づいて干渉が生じていないサブキャリアを選択し、前記一時的に記憶されている変調シンボルのうち再送すべき変調シンボルを、選択した前記サブキャリアに対して配置し再送することを前記サブキャリア割当部に指示する再送制御部と、を備え、前記所定のデータは前記再送すべき変調シンボルであっても良い。【００２３】
［９］本発明の通信システムにおいて、前記再送制御部は、前記再送すべき変調シンボルの数が、前記干渉が生じていないサブキャリアの数よりも多い場合は、前記干渉が生じていないサブキャリアのみを用いた再送を複数回行うことによって前記再送すべき変調シンボルを全て送信し、前記再送すべき変調シンボルが複数回にわたって送信されることを表す再送制御情報をさらに送信し、前記再送信号受信制御部は、前記再送制御情報に基づいて、前記複数回にわたって送信された各ビット列を合成することによって、再送されたビット列を生成するようにしても良い。【００２４】
［１０］本発明の通信システムにおいて、前記送信装置は、利用可能な周波数帯域に含まれる複数のサブキャリアを複数の受信装置に割り当てることによって、前記複数の受信装置に対し無線通信を行い、前記再送制御部は、前記利用可能な周波数帯域に含まれる全てのサブキャリアの中から、前記再送に用いるための前記干渉が生じていないサブキャリアを選択するようにしても良い。【００２５】
［１１］本発明の通信システムにおいて、前記再送制御部は、前記利用可能な周波数帯域に含まれる全てのサブキャリアの中から、前記干渉が生じているサブキャリアから周波数軸上で最も離れた複数のサブキャリアを選択するようにしても良い。【００２６】
［１２］また、本発明の送信装置は、複数のサブキャリアからなる無線のマルチキャリア信号を重畳して伝送する通信システムにおける送信装置であって、干渉信号が存在しない周波数帯域である非重畳帯域と前記干渉信号が存在する周波数帯域である重畳帯域との双方または前記非重畳帯域に対して、前記非重畳帯域を優先し、送信データから生成される所定のデータの割り当てを行なうデータ割当部を具備し、前記割り当てに基づいて前記マルチキャリア信号を生成して送信する。【００２７】
［１３］本発明の送信装置において、誤り訂正符号化を適用して、前記送信データからシステマティックビット及びパリティビットを生成する符号化部をさらに備え、前記データ割当部は、前記マルチキャリア信号の使用周波数帯域における前記重畳帯域の情報に基づいて、前記使用周波数帯域における前記非重畳帯域に前記符号化部により生成された前記システマティックビットを優先的に割り当てるとともに、前記符号化部により生成された前記パリティビットを前記重畳帯域に優先的に割り当て、前記システマティックビット及び前記パリティビットを前記データ割当部により割り当てられた周波数帯域のサブキャリアに変調する変調部と、前記変調部により各サブキャリアに変調された信号から前記マルチキャリア信号を生成するマルチキャリア信号変調部と、をさらに備え、前記所定のデータは前記システマティックビットであっても良い。【００２８】
［１４］また、本発明の受信装置は、複数のサブキャリアからなる無線のマルチキャリア信号を受信する受信装置であって、送信装置から受信した前記マルチキャリア信号をサブキャリア毎に復調するマルチキャリア信号復調部と、前記マルチキャリア信号復調部により復調された各サブキャリアの受信信号を復調する復調部と、前記マルチキャリア信号の使用周波数帯域における重畳帯域の情報に基づいて、システマティックビット及びパリティビットそれぞれの使用周波数帯域を得て、得られた前記使用周波数帯域に基づいて、前記復調部によって復調された各サブキャリアの前記受信信号から前記パリティビット及び前記システマティックビットを抽出するデータ抽出部と、前記データ抽出部により抽出された前記システマティックビット及び前記パリティビットを用いて送信データを復号する復号部と、を備えている。【００２９】
［１５］また、本発明の通信方法は、複数のサブキャリアからなる無線のマルチキャリア信号を重畳して伝送する通信システムに用いられる通信方法であって、送信装置が、干渉信号が存在しない周波数帯域である非重畳帯域と前記干渉信号が存在する周波数帯域である重畳帯域との双方または前記非重畳帯域に対して、前記非重畳帯域を優先し、送信データから生成される所定のデータの割り当てを行うデータ割当ステップと、前記送信装置が、前記割り当てに基づいて前記マルチキャリア信号を生成して送信するステップと、受信装置が、送信された前記マルチキャリア信号を受信するステップとを有する。【００３０】
［１６］本発明の通信方法において、前記送信装置が、誤り訂正符号化を適用して、前記送信データからシステマティックビット及びパリティビットを生成する符号化ステップをさらに備え、前記データ割当ステップにおいて、前記送信装置が、前記マルチキャリア信号の使用周波数帯域における前記重畳帯域の情報に基づいて、前記使用周波数帯域における前記非重畳帯域に前記符号化ステップにおいて生成された前記システマティックビットを優先的に割り当てるとともに、前記符号化ステップにおいて生成された前記パリティビットを前記重畳帯域に優先的に割り当て、前記送信装置が、前記システマティックビット及び前記パリティビットを前記データ割当ステップにおいて割り当てられた周波数帯域のサブキャリアに変調する変調ステップと、前記送信装置が、前記変調ステップにおいて各サブキャリアに変調された信号から前記マルチキャリア信号を生成するマルチキャリア信号変調ステップと、前記受信装置が、前記送信装置から受信した前記マルチキャリア信号をサブキャリア毎に復調するマルチキャリア信号復調ステップと、前記受信装置が、前記マルチキャリア信号復調ステップにおいて復調された各サブキャリアの受信信号を復調する復調ステップと、前記受信装置が、前記マルチキャリア信号の前記使用周波数帯域における前記重畳帯域の前記情報に基づいて、前記システマティックビット及び前記パリティビットそれぞれの使用周波数帯域を得て、得られた前記使用周波数帯域に基づいて、前記復調ステップによって復調された各サブキャリアの前記受信信号から前記パリティビット及び前記システマティックビットを抽出するデータ抽出ステップと、前記受信装置が、前記データ抽出ステップにおいて抽出された前記システマティックビット及び前記パリティビットを用いて前記送信データを復号する復号ステップと、をさらに有し、前記所定のデータは前記システマティックビットであっても良い。【００３１】
［１７］本発明の通信方法において、前記通信方法は、誤り訂正符号化を適用して前記無線のマルチキャリア信号を伝送するマルチキャリア無線通信方法であって、前記受信装置が、受信した前記マルチキャリア信号をサブキャリアごとに復調する復調ステップと、前記受信装置が、受信した前記マルチキャリア信号における前記重畳帯域を表す重畳帯域情報を生成する重畳帯域情報生成ステップと、前記受信装置が、前記重畳帯域情報を前記送信装置に送信する重畳帯域情報信号送信ステップと、前記受信装置が、前記複数のサブキャリアのうち、前記干渉が生じているサブキャリアに対し、他のサブキャリアと比して、前記誤り訂正符号化における信頼度を低減させるサブキャリアごとの重み付け係数を生成する重み付け係数生成ステップと、前記受信装置が、前記復調ステップにおいて復調される前記マルチキャリア信号のサブキャリアの復調値に前記重み付け係数を適用する重み付け演算処理を行う重み付け演算ステップと、前記受信装置が、前記重み付け演算ステップにおいて算出されるサブキャリアごとの値を用いて、誤り訂正処理及び復号処理を行う復号化ステップと、前記受信装置が、前記復号化ステップにおいて復号化されたビット列について、誤り検出符号に基づいて誤りが生じているか否か検出し、誤りが生じている場合には前記送信装置に対し再送指示情報を送信する誤り判定ステップと、前記受信装置が、前記誤り判定ステップにおいて前記再送指示情報を送信した場合、前記送信装置から再送される信号に係る前記ビット列に基づいて、再送されたビット列を生成する再送信号受信制御ステップと、前記送信装置が、前記送信データに対し前記誤り検出符号を付与し、誤り訂正符号化を行い、符号化ビットを生成する符号化ステップと、前記送信装置が、前記符号化ビットを変調し複数の変調シンボルを生成する変調ステップと、前記送信装置が、各変調シンボルを各サブキャリアに配置し変調信号を生成するサブキャリア割当ステップと、前記送信装置が、前記変調信号から送信信号を生成し送信する送信ステップと、前記送信装置が、前記変調シンボルを一時的に記憶し、前記再送指示情報及び前記重畳帯域情報を受信し、再送の指示がなされた場合に、前記重畳帯域情報に基づいて干渉が生じていないサブキャリアを選択し、前記一時的に記憶されている変調シンボルのうち再送すべき変調シンボルを、選択した前記サブキャリアに対して配置し再送するステップと、を備え、前記所定のデータは前記再送すべき変調シンボルであっても良い。【００３２】
［１８］また、本発明の送信方法は、複数のサブキャリアからなる無線のマルチキャリア信号を重畳して伝送する通信システムに用いられる送信方法であって、干渉信号が存在しない周波数帯域である非重畳帯域と前記干渉信号が存在する周波数帯域である重畳帯域との双方または前記非重畳帯域に対して、前記非重畳帯域を優先し、送信データから生成される所定のデータの割り当てを行うデータ割当ステップと前記割り当てに基づいて前記マルチキャリア信号を生成して送信するステップとを有する。
【発明の効果】
【００３３】
本発明によれば、システマティックビット及びパリティビットを生成する誤り訂正を適用しているマルチキャリア無線通信システムにおいて、干渉が発生していない周波数帯域においてシステマティックビットを優先的に送信することにより受信品質を向上させることができる。加えて、システマティックビットを干渉領域においてランダマイズすることにより、受信品質をさらに向上させることができる。【００３４】
また、本発明によれば、マルチキャリア重畳伝送において干渉によりパケットの受信に誤りが生じてしまった場合には、干渉が生じていないサブキャリアを用いた再送が実現される。そのため、マルチキャリア重畳伝送のように干渉が生じやすい環境においても正常に送信処理を完了させることが可能となる。さらには、再送時における誤り発生確率を低減させ受信品質を改善させることが可能となる。
【図面の簡単な説明】
【００３５】
【図１】本発明の第１の実施形態による送信装置の動作概要を示す図である。
【図２】同実施形態による送信装置の構成を示すブロック図である。
【図３】同実施形態による送信装置における符号化率の決定方法を説明するための図である。
【図４】同実施形態による送信装置におけるインタリーブを説明するための図である。
【図５Ａ】同実施形態による送信装置におけるシステマティックビット及びパリティビットの周波数割り当てを説明するための図である。
【図５Ｂ】同実施形態による送信装置におけるシステマティックビット及びパリティビットの周波数割り当てを説明するための図である。
【図５Ｃ】同実施形態による送信装置におけるシステマティックビット及びパリティビットの周波数割り当てを説明するための図である。
【図５Ｄ】同実施形態による送信装置におけるシステマティックビット及びパリティビットの周波数割り当てを説明するための図である。
【図６】同実施形態による他の送信装置の構成を示すブロック図である。
【図７】同実施形態によるさらに他の送信装置の構成を示すブロック図である。
【図８】同実施形態による受信装置の構成を示すブロック図である。
【図９】図７に示す送信装置におけるビットの流れを示す図である。
【図１０】図８に示す受信装置におけるビットの流れを示す図である。
【図１１】第２の実施形態による送信装置の構成を示すブロック図である。
【図１２】図１１に示す送信装置の動作を説明するための図である。
【図１３】同実施形態による他の送信装置の構成を示すブロック図である。
【図１４】同実施形態による受信装置の構成を示すブロック図である。
【図１５】図１３に示す送信装置におけるビットの流れを示す図である。
【図１６】図１４に示す受信装置におけるビットの流れを示す図である。
【図１７】重畳帯域のマスクを行う受信装置の内部構成を示すブロック図である。
【図１８】図１７に示す受信装置の動作フローを示す図である。
【図１９Ａ】図１７に示す受信装置の動作の概念図である。
【図１９Ｂ】図１７に示す受信装置の動作の概念図である。
【図１９Ｃ】図１７に示す受信装置の動作の概念図である。
【図１９Ｄ】図１７に示す受信装置の動作の概念図である。
【図２０Ａ】他の重み付けの例を示す図である。
【図２０Ｂ】他の重み付けの例を示す図である。
【図２１】フィルタリングを行なう受信装置の機能構成を表すブロック図である。
【図２２】受信信号と、所望信号と、干渉信号との周波数スペクトルを表す概念図である。
【図２３】図２１に示すフィルタ制御部によって行われるフィルタ制御処理の概略を表す概略図である。
【図２４】図２１に示すフィルタ制御部によって行われるフィルタ制御処理の概略を表す概略図である。
【図２５】図２１に示すフィルタ制御部によって行われるフィルタ制御処理の概略を表す概略図である。
【図２６】図２１に示す受信装置のフィルタ制御手順を示すフローチャートである。
【図２７】マルチキャリア伝送によって信号の送受信を行う受信装置及び送信装置が配置されるネットワーク環境の概略を表す概略図である。
【図２８】受信装置の機能構成を表すブロック図である。
【図２９】送信装置の機能構成を表すブロック図である。
【図３０】受信装置によって受信される所望信号と干渉信号との概略を表す。
【図３１】受信装置によって受信される所望信号と干渉信号との概略を表す。
【図３２】受信装置の処理手順を示すフローチャートである。
【図３３】送信装置の再送制御の処理手順を示すフローチャートである。
【図３４】本発明の第５実施形態に係る送信装置が配置されるネットワーク環境の概略を表す概略図である。
【図３５】図３４のネットワーク環境における所望信号と干渉信号の概略を表す図である。
【図３６】周波数チャンネルが異なる２つの無線通信システムにおける干渉を示す図である。
【発明を実施するための形態】
【００３６】
以下、本発明の各実施形態を、図面を用いて説明する。
本発明の各実施形態は、マルチキャリア重畳伝送において、干渉信号が存在しない周波数帯域である非重畳帯域を優先しながら、非重畳帯域および干渉信号が存在する周波数帯域である重畳帯域の双方、または、片方（すなわち、非重畳帯域）に対し、送信データから生成される所定のデータ（後述するように、入力された送信データのビット系列であるシステマティックビット、または、再送が指示されたパケットを構成する変調シンボル）を割り当てることを特徴の一つとしている。
【００３７】
図１は、本発明の第１の実施形態および第２の実施形態による送信装置の動作概要を示す。本実施形態の送信装置は、ＯＦＤＭ（Orthogonal Frequency Division Multiplexing：直交周波数分割多重）などのマルチキャリア信号を送信し、誤り訂正符号としてＦＥＣ（Forward Error Correction：前方誤り訂正）符号を用いる。送信装置は、ターボ符号等を適用して、入力された送信データのビット系列であるシステマティックビットと、誤り訂正ビット系列であるパリティビットを生成し、生成したパリティビットを符号化率に応じて間引きするパンクチャリングを行なう。そして、パンクチャリングを行なった結果得られるパンクチャドパリティビットの信号系列を重畳帯域に優先的に割り当て、システマティックビットの信号系列を非重畳帯域に優先的に割り当てる。このように、システマティックビットを干渉のない周波数帯域に割り当てることにより、システマティックビットが正しく受信されるようにし、受信装置においてより正確に所望信号を受信できるようにし、受信信号の品質低下を防ぐ。
さらには、システマティックビット、パリティビット別にインタリーブを行なったり、非重畳帯域、重畳帯域別にインタリーブを行なったりすることでランダマイズを行い、システマティックビットをより正しく受信可能とする。
【００３８】
［第１の実施形態］
ここでは、システマティックビット、パリティビット別にインタリーブを行なう場合の実施形態について説明する。
図２は、本発明の第１の実施形態による送信装置１００の構成を示すブロック図である。
同図において、符号化器１１０は、ＦＥＣにより送信データを符号化し、符号化率に応じてシステマティックビット及びパンクチャドパリティビットを生成し、システマティックビットをシステマティックビット用インタリーバ１２０へ出力し、パンクチャドパリティビットをパリティビット用インタリーバ１３０へ出力する。システマティックビット用インタリーバ１２０は、入力されたシステマティックビットのインタリーブを行なう。また、パリティビット用インタリーバ１３０は、入力されたパリティビットのインタリーブを行なう。
【００３９】
データ割当器１４０は、前回に受信装置から通知され、記憶部１７０に記憶されている重畳帯域の情報等に基づいて、システマティックビット、パリティビットをどの周波数帯域（サブキャリア）に割り当てるかを決定する。データ割当器１４０は、システマティックビットを非重畳帯域に優先して割り当て、非重畳帯域のリソースに余りがあればその部分にパリティビットを割り当て、非重畳帯域から溢れたパリティビットは重畳帯域に割り当てる。データ割当器１４０は、システマティックビット用インタリーバ１２０から入力されたシステマティックビットと、当該ビットに割り当てた周波数帯域を示す情報を変調器１５０−１へ出力し、パリティビット用インタリーバ１３０から出力されたパリティビットと、当該ビットに割り当てた周波数帯域を示す情報を変調器１５０−２へ出力する。
【００４０】
変調器１５０−１は、データ割当器１４０から入力されたシステマティックビットを、当該ビットに割り当てられた周波数帯域のサブキャリアに変調し、サブキャリア毎のパラレル信号としてＯＦＤＭ変調器１６０へ出力する。変調器１５０−２は、データ割当器１４０から出力されたパリティビットを、当該ビットに割り当てられた周波数帯域のサブキャリアに変調し、サブキャリア毎のパラレル信号としてＯＦＤＭ変調器１６０へ出力する。ＯＦＤＭ変調器１６０は、変調器１５０−１、１５０−２から入力されたパラレル信号を変調し、変調された信号をパラレル／シリアル変換してＯＦＤＭ信号を生成し、生成されたＯＦＤＭ信号を送信信号として出力する。
【００４１】
次に、本実施形態による送信装置１００の動作について説明する。
まず、送信装置１００の符号化器１１０は、ＦＥＣにより送信データを符号化して、システマティックビット及びパリティビットを生成した後、現在の符号化率に従ってパリティビットのパンクチャリングを行なう。例えば、ＦＥＣにより送信データを符号化した結果、システマティックビット：パリティビット＝３：６の割合で生成され、符号化率＝（システマティックビット数）／｛（システマティックビット数）＋（パリティビット数）｝＝３／４であった場合、符号化器１１０は、生成されたパリティビットを１／６に間引くパンクチャリングを行なう。
【００４２】
図３に示すように、送信装置１００による使用周波数帯域のうち干渉が発生していない非重畳帯域をα、干渉が発生している重畳帯域をβとし、システマティックビット列とパンクチャドパリティビット列の比をａ：ｂとした場合、（ｂ／ａ）＞（β／α）となるような条件下で符号化率＝ａ／（ａ＋ｂ）は決定される。これにより、全てのシステマティックビットが非重畳帯域において送信可能であり、重畳帯域においてはパリティビットのみが送信されるような符号化率とすることができる。
【００４３】
符号化率の情報は、予め記憶部１７０に設定されるか、受信装置から受信するものとする。あるいは、送信装置１００は、記憶部１７０に予め記憶しているか、受信装置から受信して記憶している重畳帯域の情報を使用して符号化率を求めることが可能である。送信装置１００は、自身が使用する周波数帯域を把握しているため、この使用周波数帯域から重畳帯域βを除くことにより非重畳帯域αを求めることができ、上記の条件によって符号化率を決定する。また、周波数帯域の代わりに、周波数帯域に対応したサブキャリア番号を用いることもできる。
【００４４】
符号化器１１０は、システマティックビットをシステマティックビット用インタリーバ１２０へ出力し、パンクチャドパリティビットをパリティビット用インタリーバ１３０へ出力する。なお、パンクチャリングを行なわず、生成したパリティビットを全てパリティビット用インタリーバ１３０に出力するようにしてもよい。
【００４５】
図４は、システマティックビット及びパリティビットのインタリーブを説明するための図である。システマティックビット用インタリーバ１２０は、システマティックビット内においてインタリーブを行なう。同様に、パリティビット用インタリーバ１３０は、パリティビット内においてインタリーブを行なう。従って、後段のデータ割当器１４０によってシステマティックビットに割り当てられる周波数帯域の中でシステマティックビットがインタリーブされることになる。また、後段のデータ割当器１４０によってパリティビットに割り当てられる周波数帯域の中でパリティビット系列がインタリーブされることになる。
【００４６】
次に、データ割当器１４０は、記憶部１７０に記憶されている重畳帯域の周波数またはサブキャリア番号に基づいて、システマティックビット、パリティビットをどの周波数（サブキャリア）に割り当てるかを決定する。
図５Ａ〜図５Ｄは、システマティックビット及びパリティビットの周波数割り当てを説明するための図である。
【００４７】
図５Ａは、送信装置１００の使用帯域のうち高い周波数側に重畳帯域がある場合の割当を示す図である。このように、使用帯域のうち高い周波数側に重畳帯域がある場合、データ割当器１４０は、システマティックビットを低い周波数側から割り当てていき、残りの高い周波数帯域にパリティビットを割り当てる。例えば、使用帯域が周波数ｆ１〜ｆ２、非重畳帯域が周波数ｆ１〜ｆ３、重畳帯域が周波数ｆ３〜ｆ２である場合、データ割当器１４０は、周波数帯域ｆ１〜ｆ４をシステマティックビットに割り当て、周波数帯域ｆ４〜ｆ２をパリティビットに割り当てる（ｆ１＜ｆ４＜ｆ３＜ｆ２）。
【００４８】
図５Ｂは、送信装置１００の使用帯域のうち低い周波数側に重畳帯域がある場合の割当を示す図である。このように、使用帯域のうち低い周波数側に重畳帯域がある場合、データ割当器１４０は、システマティックビットを高い周波数側から割り当てていき、残りの低い周波数帯域にパリティビットを割り当てる。例えば、使用帯域が周波数ｆ１〜ｆ２、重畳帯域が周波数ｆ１〜ｆ３、非重畳帯域が周波数ｆ３〜ｆ２である場合、データ割当器１４０は、周波数帯域ｆ４〜ｆ２をシステマティックビットに割り当て、周波数帯域ｆ１〜ｆ４をパリティビットに割り当てる（ｆ１＜ｆ３＜ｆ４＜ｆ２）。
【００４９】
図５Ｃは、送信装置１００の使用帯域の内側に重畳帯域がある場合の割当を示す図である。この場合、データ割当器１４０は、パリティビットの割当帯域の中心周波数が、重畳帯域の中心周波数となるようにパリティビットへ周波数帯域を割り当て、残りの高い周波数帯域及び低い周波数帯域をシステマティックビットへ割り当てる。例えば、使用帯域が周波数ｆ１〜ｆ２、重畳帯域が周波数ｆ３〜ｆ４である場合、データ割当器１４０は、周波数帯域ｆ５〜ｆ６をパリティビットに割り当て、周波数帯域ｆ１〜ｆ５、及び、ｆ６〜ｆ２をシステマティックビットに割り当てる（ｆ１＜ｆ５＜ｆ３＜ｆ４＜ｆ６＜ｆ２）。パリティビットに割り当てられた周波数帯域ｆ５〜ｆ６の中心周波数と、重畳帯域の周波数ｆ３〜ｆ４の中心周波数は同じとする。ただし、周波数ｆ５が周波数ｆ１より低い周波数となる場合は図５Ｂと同様の割当を行なう。また、周波数ｆ６が周波数ｆ２より高い周波数となる場合は図５Ａと同様の割当を行なう。
【００５０】
図５Ｄは、送信装置１００の使用帯域の両側に重畳帯域がある場合の割当を示す図である。この場合、データ割当器１４０は、システマティックビットの割当帯域の中心周波数が、非重畳帯域の中心周波数となるようにシステマティックビットへ周波数帯域を割り当て、残りの高い周波数帯域及び低い周波数帯域をパリティビットへ割り当てる。例えば、使用帯域が周波数ｆ１〜ｆ２、重畳帯域が周波数ｆ１〜ｆ３、ｆ４〜ｆ２、非重畳帯域が周波数ｆ３〜ｆ４である場合、データ割当器１４０は、周波数帯域ｆ５〜ｆ６をシステマティックビットに割り当て、周波数帯域ｆ１〜ｆ５、及び、ｆ６〜ｆ２をパリティビットに割り当てる（ｆ１＜ｆ３＜ｆ５＜ｆ６＜ｆ４＜ｆ２）。ただし、システマティックビットに割り当てられた周波数帯域ｆ５〜ｆ６の中心周波数と、非重畳帯域ｆ３〜ｆ４の中心周波数は同じとする。
【００５１】
データ割当器１４０は、インタリーブされたシステマティックビットと、上記により決定したシステマティックビット割当帯域を示す情報とを変調器１５０−１に出力し、インタリーブされたパリティビットと、上記により決定したパリティビット割当帯域を示す情報とを変調器１５０−２へ出力する。
【００５２】
変調器１５０−１は、所定の変調方式、例えば、１６ＱＡＭ（Quadrature Amplitude Modulation：直交振幅変調）、６４ＱＡＭ、ＱＰＳＫ（Quadrature Phase Shift Keying：４位相偏移変調）等により、入力されたシステマティックビットのデータ変調を行い、変調された各データを、システマティックビット割当帯域のサブキャリアにマッピングし、パラレル信号としてＯＦＤＭ変調器１６０へ出力する。具体的には、データに割り当てられたサブキャリア毎に、同相成分（Ｉ成分）と直交成分（Ｑ成分）とからなる信号を出力する。
同様に、変調器１５０−２は、所定の変調方式により、入力されたパリティビットのデータ変調を行い、変調された各データを、パリティビット割当帯域のサブキャリアにマッピングし、パラレル信号としてＯＦＤＭ変調器１６０へ出力する。
【００５３】
ＯＦＤＭ変調器１６０は、変調器１５０−１、１５０−２から入力されたパラレル信号をそれぞれ高速逆フーリエ変換（ＩＦＦＴ）して、周波数領域でマッピングされた伝送信号を時間領域の信号に変換したのち、変換された信号をパラレル／シリアル変換することによりＯＦＤＭ信号を生成する。なお、生成されたＯＦＤＭ信号には、ＦＥＣブロックサイズや符号化率の情報が付加されて送信される。
【００５４】
なお、一般的なターボ符号を用いた符号化を行なう符号化器では、パリティビットがインタリーブされて出力される。そこで、図６に示すように、パリティビット用インタリーブを用いない構成とすることもできる。同図に示す送信装置１００ａは、図２に示す送信装置１００の構成からパリティビット用インタリーバ１３０を除いている点のみが異なり、他の構成は同様である。
【００５５】
図７は、既存の送信装置を利用可能な送信装置１００ｂの構成を示すブロック図であり、図２に示す送信装置１００と同一の部分には同一の符号を付し、その説明を省略する。この図に示す送信装置１００ｂが図２に示す送信装置１００と異なる点は、変調器１５０−１、１５０−２の代わりに変調器１５０を設け、データ割当器１４０と変調器１５０の間にデインタリーバ１８０及びインタリーバ１９０が設けられている点である。変調器１５０は、入力されたビットを、当該ビットに割り当てられた周波数帯域のサブキャリアに変調し、サブキャリア毎のパラレル信号としてＯＦＤＭ変調器１６０へ出力する機能を有する。
【００５６】
従来の送信装置は、インタリーバ１９０、変調器１５０及びＯＦＤＭ変調器１６０からなるＯＦＤＭ変調器構成を有している。そこで、インタリーバ１９０の前段にデインタリーバ１８０を挿入することにより、システマティックビット用インタリーバ１２０及びパリティビット用インタリーバ１３０によりインタリーブされたビット列の並びを変えることなく変調器１５０に入力することが可能となる。従って、既存の送信装置に回路を追加することにより、本実施形態の送信装置の機能を実現させることができる。
【００５７】
図８は、本実施形態による受信装置２００の構成を示すブロック図である。
ＯＦＤＭ復調器２１０は、受信したＯＦＤＭ信号を各サブキャリア信号に分割し、シリアル信号として復調器２２０へ出力する。復調器２２０は、ＯＦＤＭ復調器２１０から入力された各サブキャリア信号をフーリエ変換して復調する。デインタリーバ２３０は、復調器２２０により復調された受信信号をデインタリーブする。インタリーバ２４０は、デインタリーバ２３０によりデインタリーブされた信号をインタリーブし、デインタリーバ２３０に入力される前のビット列に戻す。
【００５８】
データ抽出器２５０は、記憶部２９０に記憶されている重畳帯域の情報に基づいて、図５Ａ〜図５Ｄに示したような送信装置１００のデータ割当器１４０と同様の方法により、システマティックビット割当帯域及びパリティビット割当帯域を得る。データ抽出器２５０は、得られたシステマティックビット割当帯域及びパリティビット割当帯域と、受信信号の制御情報部に記述されているＦＥＣブロックサイズや符号化率とに基づき、非重畳帯域からシステマティックビットを抽出する。次いで、データ抽出器２５０は、残りの非重畳帯域から先頭のパリティビットを抽出するとともに、重畳帯域から残りのパリティビットを抽出する。データ抽出器２５０は、抽出したシステマティックビットをシステマティックビット用デインタリーバ２６０に出力し、抽出したパリティビットをパリティビット用デインタリーバ２７０に出力する。記憶部２９０に記憶される重畳帯域の情報は、受信状態に基づいて受信装置２００の図示しない制御部によって設定されるか、予め設定されるものである。
【００５９】
システマティックビット用デインタリーバ２６０は、入力されたシステマティックビットをデインタリーブして復号器２８０へ出力する。また、パリティビット用デインタリーバ２７０は、入力されたパリティビットをデインタリーブして復号器２８０へ出力する。復号器２８０は、システマティックビット用デインタリーバ２６０、及び、パリティビット用デインタリーバ２７０からそれぞれ出力されたシステマティックビット、及び、パリティビットを用いて誤り訂正を行なった後のデータを出力する。
既存の受信装置は、ＯＦＤＭ復調器２１０、復調器２２０及びデインタリーバ２３０からなるＯＦＤＭ復調器構成を有している。そこで、データ抽出器２５０の前段にインタリーバ２４０を挿入することにより、復調器２２０において復調されたビット列の並びを変えることなくデータ抽出器２５０に入力することが可能となる。従って、既存の受信装置に回路を追加することにより、本実施形態の受信装置の機能を実現させることができる。
【００６０】
なお、上記の受信装置２００においては、重畳帯域において受信したパリティビットをそのまま用いて復号を行なっているが、重畳帯域において受信したパリティビットをマスクしたり、あるいは、フィルタにより重畳帯域において受信したパリティビットをフィルタリングしたりするようにしてもよい。このような受信装置の例については、後述する。
【００６１】
図９は、送信装置１００ｂにおいてシステマティックビットとパリティビットが並べられる流れを示す図である。また、図１０は、受信装置２００においてシステマティックビットとパリティビットの並びが復元されるまでの流れを示す図である。
【００６２】
図９において、送信装置１００ｂの符号化器１１０は、送信データを符号化し、生成したシステマティックビット列「Ａ，Ｂ，Ｃ，Ｄ」をシステマティックビット用インタリーバ１２０へ出力し、パリティビット（パンクチャドパリティビット）列「ａ，ｂ，ｃ，ｄ」をパリティビット用インタリーバ１３０へ出力する。
【００６３】
システマティックビット用インタリーバ１２０は、入力されたシステマティックビット列「Ａ，Ｂ，Ｃ，Ｄ」のインタリーブを行い、「Ｃ，Ａ，Ｄ，Ｂ」と並べ替えてデータ割当器１４０へ出力する。パリティビット用インタリーバ１３０は、パリティビット列「ａ，ｂ，ｃ，ｄ」のインタリーブを行い、「ｃ，ａ，ｄ，ｂ」と並べ替えてデータ割当器１４０へ出力する。
【００６４】
データ割当器１４０は、システマティックビット列「Ｃ，Ａ，Ｄ，Ｂ」を非重畳帯域に割り当てた後、残りの非重畳帯域に先頭のパリティビット列「ｃ，ａ」を割り当て、残りのパリティビット列「ｄ，ｂ」を重畳帯域に割り当てると、デインタリーバ１８０へ割当周波数順に並べたビット列「Ｃ，Ａ，Ｄ，Ｂ，ｃ，ａ，ｄ，ｂ」を出力する。
【００６５】
デインタリーバ１８０は、データ割当器１４０から入力されたビット列「Ｃ，Ａ，Ｄ，Ｂ，ｃ，ａ，ｄ，ｂ」全体のデインタリーブを行い、「ｄ，Ｄ，Ｃ，Ｂ，ｃ，ｂ，Ａ，ａ」と並べ替えてインタリーバ１９０へ出力する。インタリーバ１９０は、デインタリーバ１８０から入力されたビット列のインタリーブを行ない、「Ｃ，Ａ，Ｄ，Ｂ，ｃ，ａ，ｄ，ｂ」と並べ替え、変調器１５０へ出力する。このように、デインタリーバ１８０とインタリーバ１９０とは、逆のビット列の並べ替えを行なうため、データ割当器１４０において周波数順に並べたビット列の順序を保持したまま変調器１５０に入力することが可能となる。よって、データ割当器１４０に割り当てられたように、システマティックビット及びパリティビットの先頭からなるビット列「Ｃ，Ａ，Ｄ，Ｂ，ｃ，ａ」は非重畳帯域により送信され、残りのパリティビット列「ｄ，ｂ」は重畳帯域により送信される。
【００６６】
図１０において、受信装置２００の復調器２２０は、復調を行なった結果、ビット列「Ｃ，Ａ，Ｄ，Ｂ，ｃ，ａ，ｄ，ｂ」を得る。システマティックビット及びパリティビットの先頭からなるビット列「Ｃ，Ａ，Ｄ，Ｂ，ｃ，ａ」は非重畳帯域により受信し、残りのパリティビット列「ｄ，ｂ」は重畳帯域により受信したものである。
デインタリーバ２３０は、復調器２２０から入力されたビット列「Ｃ，Ａ，Ｄ，Ｂ，ｃ，ａ，ｄ，ｂ」全体のデインタリーブを行い、「ｄ，Ｄ，Ｃ，Ｂ，ｃ，ｂ，Ａ，ａ」と並べ替えてインタリーバ２４０へ出力する。インタリーバ２４０は、デインタリーバ２３０から入力されたビット列のインタリーブを行ない、「Ｃ，Ａ，Ｄ，Ｂ，ｃ，ａ，ｄ，ｂ」と並べ替え、データ抽出器２５０へ出力する。このように、デインタリーバ２３０とインタリーバ２４０とは、逆のビット列の並べ替えを行なうため、復調器２２０から出力されたビット列の順序を保持したままデータ抽出器２５０に入力することが可能となる。
【００６７】
データ抽出器２５０は、記憶部２９０から読み出した重畳帯域の情報から、非重畳帯域を得る。そして、データ抽出器２５０は、受信信号に含まれる符号化率から、非重畳帯域の先頭からどこまでの帯域にシステマティックビット列が含まれるかを判断する。データ抽出器２５０は、非重畳帯域において受信したビット列「Ｃ，Ａ，Ｄ，Ｂ，ｃ，ａ」から、システマティックビット列「Ｃ，Ａ，Ｄ，Ｂ」を抽出する。また、データ抽出器２５０は、その残りのビット列「ｃ，ａ」をパリティビット列の先頭として抽出し、さらに、重畳帯域において受信したビット列「ｄ，ｂ」を残りのパリティビット列として抽出する。データ抽出器２５０は、抽出したシステマティックビット列「Ｃ，Ａ，Ｄ，Ｂ」をシステマティックビット用デインタリーバ２６０に出力し、パリティビット列「ｃ，ａ，ｄ，ｂ」をパリティビット用デインタリーバ２７０に出力する。
【００６８】
システマティックビット用デインタリーバ２６０は、入力されたシステマティックビット列「Ｃ，Ａ，Ｄ，Ｂ」のデインタリーブを行い、「Ａ，Ｂ，Ｃ，Ｄ」と並べ替えて復号器２８０へ出力する。パリティビット用デインタリーバ２７０は、パリティビット列「ｃ，ａ，ｄ，ｂ」のデインタリーブを行い、「ａ，ｂ，ｃ，ｄ」と並べ替えて復号器２８０へ出力する。
復号器２８０は、正しい並びのシステマティックビット列及びパリティビット列を受信して、復号を行なう。
【００６９】
［第２の実施形態］
ここでは、非重畳帯域、重畳帯域別に別にインタリーブを行なう場合の実施形態について説明する。
図１１は、第２の実施形態による送信装置１００ｃの構成を示すブロック図であり、図２に示す第１の送信装置１００と同一の部分には同一の符号を付し、その説明を省略する。
同図において、データ割当器１４１は、第１の実施形態による送信装置１００のデータ割当器１４０と同様に、システマティックビット割当帯域及びパリティビット割当帯域を決定した後、非重畳帯域が割り当てられたシステマティックビット及びパリティビットを非重畳帯域用インタリーバ１４５へ出力し、重畳帯域が割り当てられたパリティビットを重畳帯域用インタリーバ１４６へ出力する。非重畳帯域用インタリーバ１４５は、データ割当器１４１から入力された非重畳帯域のビット列をインタリーブし、変調器１５１−１に出力する。また、重畳帯域用インタリーバ１４６は、データ割当器１４１から入力された重畳帯域のビット列をインタリーブし、変調器１５１−２に出力する。
【００７０】
変調器１５１−１は、非重畳帯域用インタリーバ１４５から入力されたシステマティックビット及びパリティビットを、非重畳帯域のサブキャリアに変調し、サブキャリア毎のパラレル信号としてＯＦＤＭ変調器１６０へ出力する。変調器１５１−２は、重畳帯域用インタリーバ１４６から出力されたパリティビットを、重畳帯域のサブキャリアに変調し、サブキャリア毎のパラレル信号としてＯＦＤＭ変調器１６０へ出力する。
【００７１】
次に、本実施形態による送信装置１００ｃの動作について説明する。
図１２は、送信装置１００ｃの動作を説明するための図である。同図において、送信装置１００ｃの符号化器１１０は、第１の実施形態と同様にＦＥＣにより送信データを符号化して、システマティックビット及びパリティビットを生成した後、現在の符号化率に従ってパリティビットのパンクチャリングを行なう。
【００７２】
続いて、データ割当器１４１は、図５Ａ〜図５Ｄに示す第１の実施形態と同様にシステマティックビット割当帯域及びパリティビット割当帯域を決定する。データ割当器１４１は、非重畳帯域に割り当てられたシステマティックビット及びパリティビットの先頭を非重畳帯域用インタリーバ１４５に出力し、重畳帯域に割り当てられた残りのパリティビットを重畳帯域用インタリーバ１４６に出力する。従って、非重畳帯域ではシステマティックビット及びパリティビットを合わせてインタリーブが行なわれる。また、重畳帯域用インタリーバ１４６では、重畳帯域に割り当てられた残りのパリティビットのインタリーブが行なわれる。
【００７３】
変調器１５１−１は、所定の変調方式、例えば、１６ＱＡＭ、６４ＱＡＭ、ＱＰＳＫ等により、入力されたシステマティックビット及びパリティビットのデータ変調を行い、変調された各データを、非重畳帯域のサブキャリアにマッピングし、パラレル信号としてＯＦＤＭ変調器１６０へ出力する。同様に、変調器１５１−２は、所定の変調方式により、入力されたパリティビットのデータ変調を行い、変調された各データを、パリティビット割当周波数帯域のサブキャリアにマッピングし、パラレル信号としてＯＦＤＭ変調器１６０へ出力する。
ＯＦＤＭ変調器１６０は、第１の実施形態と同様にＯＦＤＭ信号を生成し、送信する。
【００７４】
図１３は、既存の送信装置を利用可能な送信装置１００ｄの構成を示すブロック図であり、図７に示す送信装置１００ｂ、図１１に示す送信装置１００ｃと同一の部分には同一の符号を付し、その説明を省略する。この図に示す送信装置１００ｄが図１１に示す送信装置１００ｃと異なる点は、変調器１５１−１、１５１−２の代わりに変調器１５０を設け、非重畳帯域用インタリーバ１４５及び重畳帯域用インタリーバ１４６と変調器１５０の間にデインタリーバ１８０及びインタリーバ１９０が設けられている点である。
【００７５】
従来の送信装置は、インタリーバ１９０、変調器１５０及びＯＦＤＭ変調器１６０からなるＯＦＤＭ変調器構成を有している。そこで、非重畳帯域用インタリーバ１４５及び重畳帯域用インタリーバ１４６とインタリーバ１９０の間にデインタリーバ１８０を挿入することにより、非重畳帯域用インタリーバ１４５及び重畳帯域用インタリーバ１４６によりインタリーブされたビット列の並びを変えることなく変調器１５０に入力することが可能となる。従って、既存の送信装置に回路を追加することにより、本実施形態の送信装置の機能を実現させることができる。
【００７６】
図１４は、本実施形態による受信装置２００ａの構成を示すブロック図であり、図８に示す受信装置２００と同一の部分には同一の符号を付し、その説明を省略する。本実施形態による受信装置２００ａが、図８に示す受信装置と異なる点は、システマティックビット用デインタリーバ２６０及びパリティビット用デインタリーバ２７０を用いず、インタリーバ２４０とデータ抽出器２５０の間に非重畳帯域用デインタリーバ２４５及び重畳帯域用デインタリーバ２４６を設けた点である。
非重畳帯域用デインタリーバ２４５は、インタリーバ２４０から入力された非重畳帯域のシステマティックビット及びパリティビットをデインタリーブする。重畳帯域用デインタリーバ２４６は、インタリーバ２４０から入力された重畳帯域のパリティビットをデインタリーブする。
【００７７】
既存の受信装置は、ＯＦＤＭ復調器２１０、復調器２２０及びデインタリーバ２３０からなるＯＦＤＭ復調器構成を有している。そこで、非重畳帯域用デインタリーバ２４５及び重畳帯域用デインタリーバ２４６の前段にインタリーバ２４０を挿入することにより、復調器２２０において復調された非重畳帯域及び重畳帯域のビット列の並びを変えることなく非重畳帯域用デインタリーバ２４５及び重畳帯域用デインタリーバ２４６に入力することが可能となる。従って、既存の受信装置に回路を追加することにより、本実施形態の受信装置の機能を実現させることができる。
【００７８】
図１５は、送信装置１００ｄにおいてシステマティックビットとパリティビットが並べられる流れを示す図である。また、図１６は、受信装置２００ａにおいてシステマティックビットとパリティビットの並びが復元されるまでの流れを示す図である。
【００７９】
図１５において、送信装置１００ｄの符号化器１１０は、送信データを符号化し、生成したシステマティックビット列「Ａ，Ｂ，Ｃ，Ｄ」、及び、パリティビット（パンクチャドパリティビット）列「ａ，ｂ，ｃ，ｄ」をデータ割当器１４１へ出力する。
【００８０】
データ割当器１４１は、システマティックビット列「Ａ，Ｂ，Ｃ，Ｄ」を非重畳帯域に割り当てた後、残りの非重畳帯域に先頭のパリティビット列「ａ，ｂ」を割り当て、残りのパリティビット列「ｃ，ｄ」を重畳帯域に割り当てる。データ割当器１４１は、割当周波数順に並べた非重畳帯域のビット列「Ａ，Ｂ，Ｃ，Ｄ，ａ，ｂ」を非重畳帯域用インタリーバ１４５へ出力し、割当周波数順に並べた重畳帯域のビット列「ｃ，ｄ」を重畳帯域用インタリーバ１４６へ出力する。
【００８１】
非重畳帯域用インタリーバ１４５は、入力された非重畳帯域のビット列「Ａ，Ｂ，Ｃ，Ｄ，ａ，ｂ」のインタリーブを行い、「Ｄ，Ａ，ａ，Ｃ，ｂ，Ｂ」と並べ替えてデインタリーバ１８０へ出力する。重畳帯域用インタリーバ１４６は、入力された重畳帯域のビット列「ｃ，ｄ」のインタリーブを行い、「ｄ，ｃ」と並べ替えてデインタリーバ１８０へ出力する。
【００８２】
デインタリーバ１８０は、非重畳帯域用インタリーバ１４５及び重畳帯域用インタリーバ１４６から入力されたビット列を併せた「Ｄ，Ａ，ａ，Ｃ，ｂ，Ｂ，ｄ，ｃ」全体のデインタリーブを行い、「ｃ，Ｄ，Ｃ，Ｂ，ｄ，ｂ，Ａ，ａ」と並べ替えてインタリーバ１９０へ出力する。インタリーバ１９０は、デインタリーバ１８０から入力されたビット列のインタリーブを行ない、「Ｄ，Ａ，ａ，Ｃ，ｂ，Ｂ，ｄ，ｃ」と並べ替え、変調器１５０へ出力する。このように、デインタリーバ１８０とインタリーバ１９０とは、逆のビット列の並べ替えを行なうため、非重畳帯域用インタリーバ１４５及び重畳帯域用インタリーバ１４６が非重畳帯域、重畳帯域毎に並べたビット列の順序を保持したまま変調器１５０に入力することが可能となる。
【００８３】
図１６において、受信装置２００ａの復調器２２０は、復調を行なった結果、ビット列「Ｄ，Ａ，ａ，Ｃ，ｂ，Ｂ，ｄ，ｃ」を得る。システマティックビット及びパリティビットの先頭からなるビット列「Ｄ，Ａ，ａ，Ｃ，ｂ，Ｂ」は非重畳帯域により受信し、残りのパリティビット列「ｄ，ｃ」は重畳帯域により受信したものである。
デインタリーバ２３０は、復調器２２０から入力されたビット列「Ｄ，Ａ，ａ，Ｃ，ｂ，Ｂ，ｄ，ｃ」全体のデインタリーブを行い、「ｃ，Ｄ，Ｃ，Ｂ，ｄ，ｂ，Ａ，ａ」と並べ替えてインタリーバ２４０へ出力する。インタリーバ２４０は、デインタリーバ２３０から入力されたビット列のインタリーブを行ない、「Ｄ，Ａ，ａ，Ｃ，ｂ，Ｂ，ｄ，ｃ」と並べ替える。このように、デインタリーバ２３０とインタリーバ２４０とは、逆のビット列の並べ替えを行なうため、復調器２２０から出力されたビット列の順序に戻すことができる。インタリーバ２４０は、記憶部２９０から読み出した重畳帯域の情報に基づいて、インタリーブを行なった結果得られたビット列のうち、非重畳帯域のビット列「Ｄ，Ａ，ａ，Ｃ，ｂ，Ｂ」を非重畳帯域用デインタリーバ２４５へ出力し、重畳帯域のビット列「ｄ，ｃ」を重畳帯域用デインタリーバ２４６へ出力する。
【００８４】
非重畳帯域用デインタリーバ２４５は、入力された非重畳帯域のビット列「Ｄ，Ａ，ａ，Ｃ，ｂ，Ｂ」のデインタリーブを行い、「Ａ，Ｂ，Ｃ，Ｄ，ａ，ｂ」と並べ替えてデータ抽出器２５０へ出力する。重畳帯域用デインタリーバ２４６は、入力された重畳帯域のビット列「ｄ，ｃ」のデインタリーブを行い、「ｃ，ｄ」と並べ替えてデータ抽出器２５０へ出力する。
【００８５】
データ抽出器２５０は、記憶部２９０から読み出した重畳帯域の情報から、非重畳帯域を得る。そして、データ抽出器２５０は、受信信号に含まれる符号化率から、非重畳帯域の先頭からどこまでの帯域にシステマティックビット列が含まれるかを判断する。データ抽出器２５０は、非重畳帯域のビット列「Ａ，Ｂ，Ｃ，Ｄ，ａ，ｂ」から、システマティックビット列「Ａ，Ｂ，Ｃ，Ｄ」を抽出する。また、データ抽出器２５０は、その残りのビット列「ａ，ｂ」をパリティビット列の先頭として抽出し、さらに、重畳帯域において受信したビット列「ｃ，ｄ」を残りのパリティビット列として抽出する。データ抽出器２５０は、抽出したシステマティックビット列「Ａ，Ｂ，Ｃ，Ｄ」、および、パリティビット列「ａ，ｂ，ｃ，ｂ」を復号器２８０へ出力する。
復号器２８０は、正しい並びのシステマティックビット列及びパリティビット列を受信して、復号を行なう。
【００８６】
第２の実施形態は、第１の実施形態と比較してシステマティックビットのインタリーブが深い。つまり第１の実施形態では、システマティックビットのみをシステマティックビット用インタリーバ１２０でインタリーブしているのに対し、第２の実施形態では、システマティックビットに加え、一部のパリティビットも合わせて全体でインタリーブしているためである。このランダマイズ効果により、システマティックビットが正しく受信される確率を高めることができる。
【００８７】
［重畳帯域のマスクを行う受信装置］
重畳帯域のマスクを行なう受信装置について以下に説明する。
図１７は、重畳帯域のマスクを行なう受信装置３００の構成を示す概略ブロック図である。なお、重畳帯域検出器３０１と復調器３０３との間の接続は必須ではない。
受信装置３００は、重畳帯域検出器３０１、重み付け係数生成器３０２、復調器３０３、重み付け演算器３０４、復号器３０５を備え、誤り訂正符号による所望信号と干渉信号とからなる受信信号から、所望信号に含まれる信号を抽出する。重畳帯域検出器３０１は、例えば、ＦＷＡ（Fixed Wireless Access）などの受信装置３００の置局時において、自装置の所望信号における利用周波数帯域のうち、他のシステムから送信される無線信号により干渉が発生する周波数帯域を検出する。重畳帯域検出器３０１は、例えば、所望信号の送信元無線局に対し、所望信号による無線信号送信の停止要求を送信し、所望信号が送信されていない環境において、当該所望信号の利用周波数帯域のサブキャリアごとに、他無線信号の有無、信号強度などを検出することにより、干渉が発生するサブキャリアを検出する。重畳帯域検出器３０１は、例えば、特定サブキャリアであるサブキャリアに対して「１」を対応付け、特定サブキャリア以外のサブキャリアに対して「０」を対応付けた重畳帯域判定値の列として、特定サブキャリア判定値の列を生成する。重畳帯域検出器３０１は、検出結果を重み付け係数生成器３０２に出力する。
【００８８】
重み付け係数生成器３０２は、特定サブキャリア判定値に応じたサブキャリアごとの重み付け係数を算出する。重み付け係数生成器３０２が算出する重み付け係数は、重畳帯域検出器３０１により検出された干渉が発生するサブキャリアに関し、他のサブキャリアに比して信頼度を低減させる重み付け係数である。重み付け係数生成器３０２は、算出した重み付け係数をサブキャリアごとに並べた列を重み付け演算器３０４に出力する。
【００８９】
復調器３０３は、受信した誤り訂正符号化された所望信号を含む無線信号をサブキャリアごとに電気信号に変換し、復調したサブキャリアごとの復調値を重み付け演算器３０４に出力する。
重み付け演算器３０４は、重み付け係数生成器３０２から入力される重み付け係数に基づき、サブキャリアごとに、復調器３０３から入力される復調値に重み付け演算処理を行い、演算結果をサブキャリアごとに並べた列を尤度データ列として復号器３０５に出力する。
復号器３０５は、重み付け演算器３０４から入力される尤度データ列に基づき、誤り訂正処理、及び復号処理を行い、所望信号の信号を取得する。
【００９０】
図１８は、受信装置３００の処理フローを示す図である。
受信装置３００の重畳帯域検出器３０１は、受信装置３００の置局時に、所望信号がないタイミングや、所望信号がないサブキャリアの周波数帯域において、所望信号のサブキャリアごとの周波数帯域における無線信号の受信レベル、周波数帯域、中心周波数、所望信号への重畳帯域などを測定、検出することにより、干渉信号の情報を取得する。
また、重畳帯域検出器３０１は、取得した干渉信号の情報に基づき、干渉信号が存在するサブキャリアを特定サブキャリアとして選択（検出）する。重畳帯域検出器３０１は、例えば、受信レベルの値に基づき、所定の値以上の受信レベルの信号を受信した周波数帯域のサブキャリアを特定サブキャリアとして検出する。
【００９１】
図１９Ａ〜図１９Ｄは、受信装置３００の処理内容の概念図である。重畳帯域検出器３０１は、図１９Ａにおいて、所望信号と干渉信号とが重複する重畳帯域Ｗに含まれるサブキャリアＳＣ１〜ＳＣ４を特定サブキャリアとして検出する。重畳帯域検出器３０１は、サブキャリアＳＣ１〜ＳＣ４に対し「１」を対応付けて、他のサブキャリアに「０」を対応付けた特定サブキャリア判定値の列を生成する。
図１８に戻り、重畳帯域検出器３０１は、生成した特定サブキャリア判定値の列を重み付け係数生成器３０２に出力する（ステップＳ３１０）。
【００９２】
重み付け係数生成器３０２は、重畳帯域検出器３０１が生成した特定サブキャリア判定値に基づき、特定サブキャリアの信頼度を他のサブキャリアに比して低減させる重み付け係数を生成する。この重み付け係数は、例えば、特定サブキャリア判定値の列において「１」が対応付けられているサブキャリアに対し、復調値を所定の値、例えば、「０」に変換させる重み付け係数である。
重み付け係数生成器３０２は、生成したサブキャリアごとの重み付け係数の列を重み付け演算器３０４に出力する（ステップＳ３２０）。
【００９３】
なお、上述したステップＳ３１０〜Ｓ３２０の処理は、受信装置３００において、信号を受信する前に行う処理である。次に、所望信号による無線信号の受信処理について説明する。復調器３０３は、所望信号の周波数帯域の無線信号をサブキャリアごとに復調し、復調したサブキャリアごとの復調値のデジタルデータを重み付け演算器３０４に出力する。
【００９４】
重み付け演算器３０４は、サブキャリアごとの重み付け係数とサブキャリアごとの復調値とに基づき、所望信号の符号化方法に応じた演算方法により、重み付け演算処理を行い、演算結果の列を尤度データ列として復号器３０５に出力する（ステップＳ３３０）。
この符号化方法に応じた重み付け演算方法の一例として、所望信号の符号化方法が軟判定正負多値の符号化方法である場合を例に図１９Ｂ〜図１９Ｄを用いて説明する。この軟判定正負多値の符号化方法における復号処理は、受信信号の復調値が正負の多値出力であり、絶対値の大きさを信頼度（尤もらしさを表す値、尤度）として負の値を値「＋１」、正の値を値「−１」と判定する復号処理を行う。
【００９５】
図１９Ｂは、サブキャリアごとの重み付け係数を示す図である。また、図１９Ｃは、サブキャリアごとの正負多値出力の復調値を示す図である。同図において、最も「−１」であることへの信頼度が高いのは、最大の正値「＋２７．０２」のサブキャリアである。一方、最も「＋１」であることへの信頼度が高いのは、最小の負値「−２６．３４」のサブキャリアである。
一方、「＋１」と「−１」とのいずれであるか、最もあいまいである（信頼度が低い）のは、絶対値が最も小さい値、すなわち、復調値が０のサブキャリアである。
【００９６】
したがって、図１８のステップＳ３２０において、重み付け係数生成器３０２により算出される重み付け係数に基づき、重み付け演算器３０４が、特定サブキャリアであるサブキャリアＳＣ１〜４の復調値を「０」に変換させる重み付け演算処理を行うことにより、サブキャリアＳＣ１〜４の復調値の信頼度を低減させることが可能になる。ここでは、重み付け係数生成器３０２は、図１９Ｂに示すように、図１９Ａの特定サブキャリア判定値の論理否定の値をサブキャリアごとに対応付けた重み付け係数の列として生成することとする。
【００９７】
重み付け演算器３０４による重み付け演算の一例として、重み付け演算器３０４は、図１９Ｂに示されているような特定サブキャリア判定値の論理否定の値である重み付け係数と、図１９Ｃに示されているような復調値とを対応するサブキャリアごとに乗算する。具体的には、重み付け演算器３０４が、特定サブキャリアであるサブキャリアＳＣ１について、復調値「−２５．３２」と重み付け係数「０」とを乗算し、乗算結果「０」を重み付け演算後の復調値として復号器３０５に出力する。同様に、重み付け演算器３０４は、特定サブキャリア以外のサブキャリアについては、復調値と重み付け係数「１」とを乗算する。そして、重み付け演算器３０４は、全サブキャリアの乗算結果の列を尤度データ列として復号器３０５に出力する。
【００９８】
図１９Ｄは、重み付け演算器３０４により、重み付け係数と、正負多値復調値とをサブキャリアごとに重み付け演算した尤度データ列を示す図である。同図に示すように、特定サブキャリアであるサブキャリアＳＣ１〜ＳＣ４に対応する重み付け演算後の尤度データの値は、信頼度が最も低い値「０」であり、他の復調値は変化しない。
【００９９】
図１８に戻り、復号器３０５は、重み付け演算器３０４から入力される尤度データ列に基づき、所望信号の符号化方法に対応する復号処理を行う。所望信号に適用する誤り訂正用の符号化方法としては、例えば、畳み込み符号（Convolutional coding）や、繰り返し復号とターボ符号とを組み合わせた方法などに応じた方法が適用可能である（ステップＳ３４０）。
【０１００】
上述の受信装置３００では、置局時に所望信号の周波数帯域における干渉信号を重畳帯域検出器３０１が計測し、この計測結果に基づき、受信信号の干渉信号が存在する特定サブキャリアについて、重み付け係数生成器３０２が信頼度を低減させる重み付け係数を算出し、重み付け演算器３０４が受信信号の復調値に対して重み付け係数に基づき特定サブキャリアの信頼度を低減させる処理を行う。
このように、受信装置３００が、サブキャリアごとの受信信号の信頼度に応じて復調値に重み付け演算を行い、信頼度の低い特定サブキャリアをマスクし、信頼度の高いサブキャリアの復調値を用いて受信信号を復号することにより、受信誤り訂正能力を向上させることが可能になる。
【０１０１】
なお、上述の実施形態において、重み付け係数生成器３０２により算出される重み付け係数が、重畳帯域検出器３０１による２値の特定サブキャリア判定値の論理否定の値であり、結果としてビットマスクである場合を例として説明した。しかし、これに限らず、次の係数を用いることでもよい。
【０１０２】
図２０Ａ〜図２０Ｂは、上述した重み付け係数の他の例における重み付け前の値と、重み付け後の値を示す図面である。
例えば、図２０Ａの軟判定出力型において、重み付け係数生成器３０２は、正負多値出力の復調値に対し、特定サブキャリアの重み付け係数を所定値α（ただし、０≦α＜１）とし、他のサブキャリアの重み付け係数を１とする重み付け係数を算出することでもよい。
【０１０３】
重み付け演算器３０４が、特定サブキャリアについて、復調値と所定値αとを乗算することにより、特定サブキャリアの復調値の絶対値を０方向に変換し、それにより、信頼度を低減させる。
また、軟判定出力型において、正数多値出力の復調値の場合、復調値が０に近いほどビット値を「−１」として復号し、復調値が最大値に近いほどビット値を「１」として復号する。このような場合において、重み付け係数生成器３０２は、特定サブキャリアの復調値を出力候補値の中央値（例えば、出力候補値が０〜７であれば、その中央値の３または４）に置換する重み付け係数を算出することでもよい。
【０１０４】
また、図２０Ｂに示されるような硬判定出力型における「−１」と「＋１」との二値出力型の場合、重み付け係数生成器３０２は、二値の復調値を「０」に置換する係数を特定サブキャリアの重み付け係数として重み付け演算器３０４に出力することでもよい。
このように、ブロック符号化など、誤り訂正符号を適用しており、一部のサブキャリアの復調値等が欠落していても他のサブキャリアの復調値に基づき所望信号を取得することが可能な通信方式の場合、信頼度が低く、誤り発生の要因となるサブキャリアに対し、信頼度を下げる重み付け係数を用いて復調値に重み付け演算処理を行うことで、受信誤り訂正能力を向上させることができる。
【０１０５】
上記の受信装置３００の重畳帯域検出器３０１、重み付け係数生成器３０２及び重み付け演算器３０４を図８、図１４に示す受信装置２００、２００ａに付加し、復調器３０３を復調器２２０とし、復号器３０５を復号器２８０とすることにより、重畳帯域のマスクを行うことが可能となる。なお、重み付け演算器３０４は、復調器２２０とデインタリーバ２３０の間に備える。
【０１０６】
［重畳帯域のフィルタリングを行う受信装置］
次に、重畳帯域のフィルタリングを行なう受信装置について以下に説明する。
図２１は、重畳帯域のフィルタリングを行なう受信装置４００の機能構成を表すブロック図である。図示するように、受信装置４００は、アンテナ４０１と、受信部４０２と、干渉情報抽出部４０３と、フィルタ制御部４０４と、遅延部４０５と、フィルタ４０６と、復調部４０７と、デインタリーバ４０８と、ＦＥＣ復号部４０９とを備える。
【０１０７】
アンテナ４０１は、所望信号と干渉信号とが合成された信号を受信する。
受信部４０２は、受信された受信信号に対し、ダウンコンバートを行い、さらにアナログ／デジタル変換を行う。
【０１０８】
干渉情報抽出部４０３は、送信装置との通信を開始する際に決定される所望信号情報に基づいて、干渉信号の中心周波数と、干渉信号の周波数帯域幅と、を含む干渉情報を受信信号から抽出する干渉情報抽出処理を行う。
【０１０９】
干渉情報抽出処理は、既存の技術により可能である。例えば、干渉情報抽出部４０３は、受信信号に対してＦＦＴ（Fast Fourier Transform）を行うことによって受信信号の周波数スペクトルを算出し、算出された受信信号の周波数スペクトルと、所望信号情報に基づいて得られる所望信号の周波数スペクトルの推定結果との差分を算出することによって干渉信号の周波数スペクトルを推定し、この推定結果に基づいて干渉情報を抽出する。
【０１１０】
フィルタ制御部４０４は、送信装置との通信開始時に所望信号情報を記憶し、所望信号情報と、干渉情報抽出部４０３によって抽出された干渉情報とに基づいて、以下の二つの条件を満たすフィルタのパラメータを決定し、決定されたパラメータをフィルタ４０６に設定する。
（１）干渉信号が存在せず所望信号のみが存在する周波数帯域の受信信号を通過させる
（２）干渉信号が存在する周波数帯域の受信信号を減衰させる
なお、フィルタのパラメータは、例えば、フィルタの種類と、遮断周波数とで構成される。
【０１１１】
遅延部４０５は、受信部４０２が処理を終了してから、干渉情報抽出部４０３と、フィルタ制御部４０４とが処理を終了するまでに要する時間に相当する時間遅延を、受信信号に付加し、フィルタ４０６へ出力する。遅延部４０５が受信信号に対して付加する遅延の量は、予め設計者によって設定される。
【０１１２】
フィルタ４０６は、フィルタ制御部４０４によって設定されたパラメータのフィルタに基づいて、遅延部４０５によって遅延が付加された受信信号をフィルタリングする。即ち、フィルタ４０６は、フィルタ制御部４０４によって設定されたパラメータのフィルタに基づいて、このパラメータの決定時にフィルタ制御部４０４によって参照された受信信号をフィルタリングする。
復調部４０７は、フィルタ４０６によってフィルタリングされた受信信号からガードインターバルを除去し、ＦＦＴを行い、復調を行うことによって復調信号を生成する。
【０１１３】
デインタリーバ４０８は、復調部４０７によって生成された復調信号に対しデインタリーブを行う。
ＦＥＣ復号部４０９は、デインタリーバ４０８によってデインタリーブされた復調信号を、ＦＥＣに従って復号し、誤りビットが訂正されたビット列を生成し、受信データを出力する。
【０１１４】
図２２は、受信信号と、所望信号と、干渉信号との周波数スペクトルを表す概念図である。図２２において、縦軸はパワーを表し、横軸は周波数を表す。図２２（ａ）は、アンテナ４０１によって受信される信号の周波数スペクトルを表す概念図である。図２２（ｂ）は、図２２（ａ）の受信信号に含まれる所望信号の周波数スペクトルを表す概念図である。図２２（ｂ）において、符号ＤＳは所望信号の周波数スペクトルを示し、ｆｃ＿ｄは所望信号の中心周波数を示し、ｂｗ＿ｄは所望信号の周波数帯域幅を示す。図２２（ｃ）は、図２２（ａ）の受信信号に含まれる干渉信号の周波数スペクトルを表す概念図である。図２２（ｃ）において、符号ＩＳは干渉信号の周波数スペクトルを示し、ｆｃ＿ｉは干渉信号の中心周波数を示し、ｂｗ＿ｉは干渉信号の周波数帯域幅を示す。
【０１１５】
次に、フィルタ制御部４０４の動作の詳細について説明する。フィルタ制御部４０４は、所望信号情報と干渉情報とに基づいて、所望信号と干渉信号との相対的な位置を算出し、この算出結果に応じてフィルタ４０６に適用するフィルタパラメータを決定する。具体的には、フィルタ制御部４０４は、所望信号情報及び干渉情報に基づいて、フィルタ４０６に適用するフィルタの種類を、ハイパスフィルタと、ローパスフィルタと、ノッチフィルタの中から選択する。さらに、フィルタ制御部４０４は、フィルタの遮断周波数を決定する。そして、フィルタ制御部４０４は、決定したフィルタの種類と遮断周波数とに従って、フィルタ４０６を制御する。
図２３〜図２５は、フィルタ制御部４０４によって行われるフィルタ制御処理の概略を表す概略図である。以下、図２３〜図２５を用いてフィルタ制御処理の詳細を説明する。
【０１１６】
図２３は、フィルタ制御部４０４がフィルタ４０６にローパスフィルタを設定する場合のフィルタ制御処理の概略を表す概略図である。図２３（ａ）は、アンテナ４０１によって受信される信号の周波数スペクトルを、所望信号の周波数スペクトルと干渉信号のスペクトルとに分けて表す概略図である。図２３（ａ）において、縦軸はパワーを表し、横軸は周波数を表し、符号ＤＳは所望信号の周波数スペクトルを示し、符号ＩＳは干渉信号の周波数スペクトルを示す。フィルタ制御部４０４は、干渉信号の中心周波数（ｆｃ＿ｉ）及び周波数帯域幅（ｂｗ＿ｉ）に基づいて干渉信号の周波数帯域の最高値（ｂｍａｘ＿ｉ）を算出し、所望信号の中心周波数（ｆｃ＿ｄ）及び周波数帯域幅（ｂｗ＿ｄ）に基づいて所望信号の周波数帯域の最高値（ｂｍａｘ＿ｄ）を算出し、ｂｍａｘ＿ｉがｂｍａｘ＿ｄよりも高い場合には（図２３（ａ））、フィルタ４０６にローパスフィルタを適用する。
【０１１７】
図２３（ｂ）は、フィルタ制御部４０４がフィルタ４０６に適用するローパスフィルタの概略を表す概略図である。図２３（ｂ）において、縦軸は利得（単位はｄＢ）を表し、横軸は周波数（単位はＨｚ）を表す。この場合、フィルタ制御部４０４は、干渉信号の中心周波数（ｆｃ＿ｉ）及び周波数帯域幅（ｂｗ＿ｉ）に基づいて干渉信号の周波数帯域の最低値（ｂｍｉｎ＿ｉ）を算出し、ローパスフィルタの遮断周波数（ローパスフィルタの利得が−３ｄＢとなる周波数）ｆ＿ｌｐｆの値をｂｍｉｎ＿ｉに決定する。そして、フィルタ制御部４０４は、符号ＦＰに示すような、フィルタの種類がローパスフィルタであり遮断周波数ｆ＿ｌｐｆがｂｍｉｎ＿ｉであるパラメータを、フィルタ４０６に設定する。
【０１１８】
図２３（ｃ）は、図２３（ｂ）に表されるローパスフィルタが設定されたフィルタ４０６によって図２３（ａ）に表される受信信号がフィルタリングされた後の周波数スペクトルを表す概略図である。図示するように、フィルタ４０６は、干渉信号の周波数帯域の最低値（ｂｍｉｎ＿ｉ）よりも高い周波数の信号のパワーを、その信号が所望信号であるか干渉信号であるかに関わらず減衰させる。
【０１１９】
図２４は、フィルタ制御部４０４がフィルタ４０６にノッチフィルタを設定する場合のフィルタ制御処理の概略を表す概略図である。図２４（ａ）は、アンテナ４０１によって受信される信号の周波数スペクトルを、所望信号の周波数スペクトルと干渉信号のスペクトルとに分けて表す概略図である。図２４（ａ）において、縦軸はパワーを表し、横軸は周波数を表し、符号ＤＳは所望信号の周波数スペクトルを示し、符号ＩＳは干渉信号の周波数スペクトルを示す。フィルタ制御部４０４は、干渉信号の中心周波数（ｆｃ＿ｉ）及び周波数帯域幅（ｂｗ＿ｉ）に基づいて干渉信号の周波数帯域の最高値（ｂｍａｘ＿ｉ）及び最低値（ｂｍｉｎ＿ｉ）を算出し、所望信号の中心周波数（ｆｃ＿ｄ）及び周波数帯域幅（ｂｗ＿ｄ）に基づいて所望信号の周波数帯域の最高値（ｂｍａｘ＿ｄ）及び最低値（ｂｍｉｎ＿ｄ）を算出し、ｂｍａｘ＿ｉがｂｍａｘ＿ｄよりも低く且つｂｍｉｎ＿ｉがｂｍｉｎ＿ｄよりも高い場合には（図２４（ａ））、フィルタ４０６にノッチフィルタを適用する。
【０１２０】
図２４（ｂ）は、フィルタ制御部４０４がフィルタ４０６に適用するノッチフィルタの概略を表す概略図である。図２４（ｂ）において、縦軸は利得（単位はｄＢ）を表し、横軸は周波数（単位はＨｚ）を表す。この場合、フィルタ制御部４０４は、干渉信号の中心周波数（ｆｃ＿ｉ）及び周波数帯域幅（ｂｗ＿ｉ）に基づいて干渉信号の周波数帯域の最低値（ｂｍｉｎ＿ｉ）及び最高値（ｂｍａｘ＿ｉ）を算出し、ノッチフィルタの２つの遮断周波数（ノッチフィルタの利得が−３ｄＢとなる２つの周波数）ｆ＿ｂｅｆ１およびｆ＿ｂｅｆ２の値をｂｍｉｎ＿ｉ及びｂｍａｘ＿ｉに決定する。そして、フィルタ制御部４０４は、符号ＦＰに示すような、フィルタの種類がノッチフィルタであり２つの遮断周波数ｆ＿ｂｅｆ１およびｆ＿ｂｅｆ２がｂｍｉｎ＿ｉ及びｂｍａｘ＿ｉであるパラメータを、フィルタ４０６に設定する。
【０１２１】
図２４（ｃ）は、図２４（ｂ）に表されるノッチフィルタが設定されたフィルタ４０６によって図２４（ａ）に表される受信信号がフィルタリングされた後の周波数スペクトルを表す概略図である。図示するように、フィルタ４０６は、干渉信号の周波数帯域の最低値（ｂｍｉｎ＿ｉ）と最高値（ｂｍａｘ＿ｉ）との間の周波数の信号のパワーを、その信号が所望信号であるか干渉信号であるかに関わらず減衰させる。
【０１２２】
図２５は、フィルタ制御部４０４がフィルタ４０６にハイパスフィルタを設定する場合のフィルタ制御処理の概略を表す概略図である。図２５（ａ）は、アンテナ４０１によって受信される信号の周波数スペクトルを、所望信号の周波数スペクトルと干渉信号のスペクトルとに分けて表す概略図である。図２５（ａ）において、縦軸はパワーを表し、横軸は周波数を表し、符号ＤＳは所望信号の周波数スペクトルを示し、符号ＩＳは干渉信号の周波数スペクトルを示す。フィルタ制御部４０４は、干渉信号の中心周波数（ｆｃ＿ｉ）及び周波数帯域幅（ｂｗ＿ｉ）に基づいて干渉信号の周波数帯域の最低値（ｂｍｉｎ＿ｉ）を算出し、所望信号の中心周波数（ｆｃ＿ｄ）及び周波数帯域幅（ｂｗ＿ｄ）に基づいて所望信号の周波数帯域の最低値（ｂｍｉｎ＿ｄ）を算出し、ｂｍｉｎ＿ｉがｂｍｉｎ＿ｄよりも低い場合には（図２５（ａ））、フィルタ４０６にハイパスフィルタを適用する。
【０１２３】
図２５（ｂ）は、フィルタ制御部４０４がフィルタ４０６に適用するハイパスフィルタの概略を表す概略図である。図２５（ｂ）において、縦軸は利得（単位はｄＢ）を表し、横軸は周波数（単位はＨｚ）を表す。この場合、フィルタ制御部４０４は、干渉信号の中心周波数（ｆｃ＿ｉ）及び周波数帯域幅（ｂｗ＿ｉ）に基づいて干渉信号の周波数帯域の最高値（ｂｍａｘ＿ｉ）を算出し、ハイパスフィルタの遮断周波数（ハイパスフィルタの利得が−３ｄＢとなる周波数）ｆ＿ｈｐｆの値をｂｍａｘ＿ｉに決定する。そして、フィルタ制御部４０４は、符号ＦＰに示すような、フィルタの種類がハイパスフィルタであり遮断周波数ｆ＿ｈｐｆがｂｍａｘ＿ｉであるパラメータを、フィルタ４０６に設定する。
【０１２４】
図２５（ｃ）は、図２５（ｂ）に表されるハイパスフィルタが設定されたフィルタ４０６によって図２５（ａ）に表される受信信号がフィルタリングされた後の周波数スペクトルを表す概略図である。図示するように、フィルタ４０６は、干渉信号の周波数帯域の最高値（ｂｍａｘ＿ｉ）よりも低い周波数の信号のパワーを、その信号が所望信号であるか干渉信号であるかに関わらず減衰させる。
【０１２５】
次に、受信装置４００の動作及び処理手順について説明する。
図２６は、受信装置４００がフィルタの制御を行う場合の処理手順を示すフローチャートである。
【０１２６】
図２６に示すように、まずアンテナ４０１が信号を受信し、受信部４０２がダウンコンバート及びアナログ／デジタル変換を受信信号に対して行う（ステップＳ４１０）。次に、受信部４０２によって処理がなされた受信信号から、干渉情報抽出部４０３が干渉情報を抽出する（ステップＳ４２０）。次に、フィルタ制御部４０４が、干渉情報抽出部４０３によって抽出された干渉情報と、フィルタ制御部４０４が記憶している所望信号情報とに基づいて、上述したようにフィルタ４０６に適用されるフィルタの種類と、フィルタの遮断周波数とを決定する（ステップＳ４３０）。そして、フィルタ制御部４０４が、決定されたフィルタの種類とフィルタの遮断周波数とをフィルタ４０６に設定する（ステップＳ４４０）。
【０１２７】
ステップＳ４２０〜ステップＳ４４０の処理と並行して、遅延部４０５が受信信号に遅延を付加する（ステップＳ４５０）。次に、フィルタ４０６が、ステップＳ４４０の処理において設定されたパラメータに従ってフィルタを形成し、遅延が付加された受信信号をフィルタリングすることによって、受信信号において干渉信号が存在する周波数帯域のパワーを減衰させる（ステップＳ４６０）。次に、復調部４０７が、フィルタ４０６を通過した受信信号を復調し、復調信号を生成する（ステップＳ４７０）。次に、デインタリーバ４０８が、復調信号をデインタリーブする（ステップＳ４８０）。そして、ＦＥＣ復号部４０９が、デインタリーブされた復調信号をＦＥＣ復号し（ステップＳ４９０）、復号された受信データを出力し（ステップＳ５００）、このフローチャート全体の処理を終了する。
【０１２８】
このように、受信装置４００においては、干渉情報抽出部４０３が干渉情報を抽出し、フィルタ制御部４０４が干渉信号の存在する周波数帯域の信号を減衰させるフィルタのパラメータをフィルタ４０６に設定する。そして、フィルタ４０６が受信信号をフィルタリングすることによって、受信信号に含まれる信号のうち、干渉信号が存在する周波数帯域の信号が減衰する。そのため、受信信号における干渉信号の影響を軽減させることが可能となる。
【０１２９】
上記の受信装置４００の受信部４０２、干渉情報抽出部４０３、フィルタ制御部４０４、遅延部４０５、及びフィルタ４０６を図８、図１４に示す受信装置２００、２００ａに付加し、受信装置２００、２００ａの図示しないアンテナによる受信信号を受信部４０２に出力し、フィルタ４０６の出力をＯＦＤＭ復調器２１０に入力することにより、重畳帯域のフィルタリングを行うことが可能となる。
【０１３０】
［第３の実施形態］
図２７は、マルチキャリア伝送によって信号の送受信を行う受信装置及び送信装置が配置されるネットワーク環境の概略を表す概略図である。図示するように、受信装置１００１は、送信装置１００２からマルチキャリア伝送で送信される所望信号と、干渉源１００３から送信される干渉信号とが合成された信号（以下、「受信信号」という。）を受信する。なお、図２７では受信装置１００１が無線通信端末であり送信装置１００２が基地局装置であるが、逆に受信装置１００１が基地局装置であり送信装置１００２が無線通信端末となっても良い。無線通信端末は、基地局装置と無線通信を行う端末装置であり、例えば携帯電話機や、無線ＬＡＮ（Local Area Network）端末や、ＷｉＭＡＸ（Worldwide Interoperability for Microwave Access）端末などの装置である。基地局装置は、複数の無線通信端末と無線通信を行う装置であり、例えば携帯電話ネットワークにおける基地局装置や、無線ＬＡＮルータや、ＷｉＭＡＸ基地局などの装置である。
【０１３１】
受信装置１００１の機能構成について説明する。
図２８は、受信装置１００１の機能構成を表すブロック図である。図示するように、受信装置１００１は、アンテナ１１０１と、受信部１１０２と、重畳帯域情報生成部１１０３と、重畳帯域情報信号送信部１１０４と、重み付け係数生成部１１０５と、復調部１１０６と、重み付け演算部１１０７と、復号化部１１０８と、再送信号受信制御部１１０９と、誤り判定部１１１０とを備える。
【０１３２】
アンテナ１１０１は、所望信号と干渉信号とが合成された信号を受信する。また、アンテナ１１０１は重畳帯域情報信号及びＮＡＣＫ信号を送信装置１００２へする。
受信部１１０２は、受信された受信信号に対し、ダウンコンバートを行い、さらにアナログ／デジタル変換を行う。
【０１３３】
重畳帯域情報生成部１１０３は、重畳帯域情報生成処理を実行し、所望信号の各サブキャリアについて干渉が生じているか否か、言い換えれば干渉信号と周波数帯域が重複しているか否か判定する。そして、重畳帯域情報生成部１１０３は、例えば、干渉が生じているサブキャリア（以下、「特定サブキャリア」という。）に対して“１”を対応付け、特定サブキャリア以外の所望信号のサブキャリアに対して“０”を対応付けた重畳帯域判定値の列として、重畳帯域情報を生成する。すなわち、重畳帯域情報とは、送信装置１００２と受信装置１００１との間の無線通信において、干渉が発生してしまっているサブキャリアを表す情報である。
【０１３４】
重畳帯域情報生成処理は、既存の技術により可能である。例えば、重畳帯域情報生成部１１０３は、受信信号に対してＦＦＴ（Fast Fourier Transform）を行うことによって受信信号の周波数スペクトルを算出し、算出された受信信号の周波数スペクトルと、所望信号の周波数スペクトルの推定結果との差分を算出することによって干渉信号の周波数スペクトルを推定し、この推定結果に基づいて重畳帯域情報を生成する。また、例えば、干渉源１００３の位置が判明している場合には、この干渉源１００３の方向から到来する干渉信号を受信する指向性を持った補助アンテナを受信装置１００１が備え、重畳帯域情報生成部１１０３が、補助アンテナによって受信された干渉信号から重畳帯域情報を生成しても良い。また、例えば、送信装置１００２から所定のタイミングで送信されるパイロット信号（例えば、サブキャリアに電力が割り当てられていない信号）における周波数スペクトルに基づいて、重畳帯域情報生成部１１０３が重畳帯域情報を生成しても良い。
【０１３５】
重畳帯域情報信号送信部１１０４は、重畳帯域情報に対し符号化処理や変調処理やデジタル／アナログ変換処理やアップコンバート処理などの処理を実行することによって無線信号（重畳帯域情報信号）を生成し、アンテナ１１０１から送信装置１００２に送信する。
【０１３６】
重み付け係数生成部１１０５は、重畳帯域情報に基づきサブキャリアごとの重み付け係数を算出する。重み付け係数は、重畳帯域情報生成部１１０３によって検出された特定サブキャリアに関し、他のサブキャリアに比して尤度を低減させる係数である。尤度とは、復号化部１１０８の処理において用いられる値であり、詳細については後述する。重み付け係数生成部１１０５は、算出した重み付け係数をサブキャリアごとに並べた列を重み付け演算部１１０７に出力する。
【０１３７】
復調部１１０６は、復調処理を行うことによって、受信信号のサブキャリアごとの復調値を生成し出力する。
重み付け演算部１１０７は、重み付け係数に基づき、サブキャリアごとの復調値に重み付け演算処理を行い、演算結果をサブキャリア毎に並べた列を尤度データ列として出力する。
【０１３８】
復号化部１１０８は、尤度データ列に基づいて、誤り訂正処理及び復号化処理を行うことによってビット列を生成し、所望信号のビット列（受信データ）を出力する。誤り訂正処理は、例えばＦＥＣ（Forward Error Correction：前方誤り訂正）などの技術に従って実行される。
【０１３９】
再送信号受信制御部１１０９は、送信装置１００２から所望信号の再送を受ける際に、アンテナ１１０１を介して再送制御信号を受信する。そして、再送信号受信制御部１１０９は、再送制御信号に含まれる再送制御情報に基づいて、受信された再送信号を用いた受信データの生成を行う。
【０１４０】
誤り判定部１１１０は、復号化部１１０８又は再送信号受信制御部１１０９によって生成された受信データについて、誤り検出処理を行う。そして、誤り判定部１１１０は、誤りが検出されなかった場合にはそのまま受信データを図示しないデータ処理部へ出力し、誤りが検出された場合には誤りが検出されたデータを表す情報（再送指示情報）を生成する。再送指示情報は、例えばパケットの番号によって誤りが検出されたデータを表す。そして、誤り判定部１１１０は、再送指示情報を含むＮＡＣＫ信号を生成し、アンテナ１１０１を介して送信装置１００２へＮＡＣＫ信号を送信する。
【０１４１】
受信装置１００１の処理内容は、前述した実施形態で参照した図１９Ａ〜図１９Ｄおよび図２０Ａ〜図２０Ｂに示すとおりである。図１９Ａは、受信装置１００１における受信信号の例を表す図である。重畳帯域情報生成部１１０３は、図１９Ａにおいて、所望信号と干渉信号とが重複する重畳帯域Ｗに含まれるサブキャリアＳＣ１〜ＳＣ４を特定サブキャリアとして検出する。そして、重畳帯域情報生成部１１０３は、サブキャリアＳＣ１〜ＳＣ４に対し“１”を対応付けて、他のサブキャリアに“０”を対応付けた重畳帯域情報を生成する。
【０１４２】
図１９Ｂ〜図１９Ｄは、ＦＥＣに従った符号化方法に応じた重み付け演算処理の一例を表す図である。所望信号の符号化方法が軟判定正負多値の符号化方法である場合を例に説明する。この軟判定正負多値の符号化方法における復号化処理では、受信信号の復調値が正負の多値出力である。この場合、復号化部１１０８は、復調値の絶対値の大きさを尤度（尤もらしさを表す値、信頼度）として判定に用い、復調値が負の値である場合に“＋１”、復調値が正の値である場合に“−１”と判定する復号化処理を行う。
【０１４３】
図１９Ｂは、サブキャリア毎の重み付け係数を示す図である。重み付け係数生成部１１０５は、例えば特定サブキャリアに対し“０”、他のサブキャリアに対し“１”を重み付け係数として割り当てる。図１９Ｃは、サブキャリアごとの正負多値出力の復調値を示す図である。図１９Ｃにおいて、最も“−１”であることへの尤度が高いサブキャリアは、復調値が最大の正値“＋２７．０２”のサブキャリアである。一方、最も“＋１”であることへの尤度が高いサブキャリアは、復調値が最小の負値“−２６．３４”のサブキャリアである。また、“＋１”と“−１”とのいずれであるか、最も曖昧である（尤度が低い）サブキャリアは、絶対値が最も小さい値、すなわち、復調値が“０”のサブキャリアである。
【０１４４】
図１９Ｄは、重み付け演算部１１０７の処理の概要を表す図である。重み付け係数生成部１１０５によって算出される重み付け係数に基づき、重み付け演算部１１０７が、各サブキャリアの復調値に重み付け係数を乗算する。図１９Ｄの場合、重み付け演算部１１０７は、特定サブキャリア（サブキャリアＳＣ１〜４）の復調値には、“０”の重み付け係数を乗算し、特定サブキャリアの復調値の尤度を低減させる。一方、重み付け演算部１１０７は、他のサブキャリアの復調値には“１”の重み付け係数を乗算し、復調値の値をそのまま維持する。そして、重み付け演算部１１０７は、演算結果をサブキャリア毎に並べた列を尤度データ列として復号化部１１０８に出力する。
【０１４５】
図２０Ａ〜図２０Ｂは、重み付け係数の他の例を示す図面である。重み付け係数生成部１１０５が特定サブキャリアに対し割り当てる重み付け係数は“０”に限られず、“０．１”や“０．２”のように復調値の絶対値が小さくなるような値であれば良い(図２０Ａ)。また、重み付け係数生成部１１０５が他のサブキャリアに対し割り当てる重み付け係数は“１”に限られず、“０．９９”や“０．９”のように特定サブキャリアに割り当てられる重み付け係数よりも大きければ良く、“１”に近い値であればさらに良い。また、他のサブキャリアに対し割り当てられる重み付け係数は、“１”よりも大きい値であっても良い。
【０１４６】
また、軟判定出力型において、正数多値出力の復調値の場合、復号化部１１０８は、復調値が“０”に近いほどビット値を“−１”として復号し、復調値が最大値（図２０Ａの場合は“７”）に近いほどビット値を“１”として復号する。このような場合、重み付け係数生成部１１０５は、特定サブキャリアの復調値が出力候補値の中央値（例えば、出力候補値が０〜７であれば、その中央値の“３”または“４”）となるような重み付け係数を生成する。この場合、重み付け演算部１１０７は、各サブキャリアの復調値に重み付け係数を乗算するのではなく、特定サブキャリアの復調値を中央値に置換し、他のサブキャリアの復調値をそのままにして出力するように構成されても良い（図２０Ａ）。
【０１４７】
また、図２０Ｂに示されるような硬判定出力型における“−１”と“＋１”との二値出力型の場合、重み付け係数生成部１１０５は、二値の復調値を“０”に置換する係数を特定サブキャリアの重み付け係数として重み付け演算部１１０７に出力するように構成されてもよい。
【０１４８】
受信装置１００１は、誤り訂正符号（この場合はＦＥＣ）を適用しており、一部のサブキャリアの復調値が欠落していても他のサブキャリアの復調値に基づき所望信号を取得することが可能である。さらに、受信装置１００１は、干渉が生じているサブキャリア（特定サブキャリア）に対し、重み付け係数を用いた演算処理を行うことによってその尤度を下げ、受信誤り訂正能力を向上させる。
【０１４９】
次に、送信装置１００２の機能構成について説明する。
図２９は、送信装置１００２の機能構成を表すブロック図である。図示するように、送信装置１００２は、符号化部１２０１と、変調部１２０２と、再送制御部１２０３と、サブキャリア割当部１２０４と、送信部１２０５と、アンテナ１２０６とを備える。
【０１５０】
符号化部１２０１は、図示しないデータ処理部から供給される送信データのビット列に対し誤り検出符号を付与し、誤り訂正符号化処理によって符号化し、符号化ビットを生成する。誤り検出符号には、例えばＣＲＣ（Cyclic Redundancy Check：巡回冗長検査）等の誤り検出技術を適用することができる。
変調部１２０２は、符号化ビットに対して変調を行い、複数の変調シンボルを生成する。
【０１５１】
再送制御部１２０３は、変調部１２０２によって変調された複数の変調シンボルを一時的に記憶する。この一時的な記憶は、例えば各変調シンボルによって構成されるパケットについて正常に受信されたことを表す情報（例えばＡＣＫ（Acknowledge）信号）が受信されるまでの間や、各変調シンボルが送信されてから所定時間が経過するまでの間行われ、その後に各変調シンボルの値は廃棄される。
【０１５２】
また、再送制御部１２０３は、受信装置１００１からＮＡＣＫ信号を受信し、ＮＡＣＫ信号から再送指示情報を取得する。また、再送制御部１２０３は、後述するアンテナ１２０６によって受信された重畳帯域情報信号に対し、ダウンコンバート処理やアナログ／デジタル変換処理や復調処理や復号化処理などの処理を実行し、重畳帯域情報信号から重畳帯域情報を取得する。そして、再送制御部１２０３は、重畳帯域情報に基づいて干渉が生じていないサブキャリア（以下、「非干渉サブキャリア」という）を特定し、再送指示情報によって再送が指示されたパケットを構成する各変調シンボルを非干渉サブキャリアに配置して再送を行う。
【０１５３】
サブキャリア割当部１２０４は、複数の変調シンボルを各サブキャリアに配置することによって変調信号を生成する。このとき、サブキャリア割当部１２０４は、再送制御部１２０３から再送の指示が無い場合には、変調部１２０２から出力された複数の変調シンボルを、干渉が生じているサブキャリア及び干渉が生じていないサブキャリアのそれぞれに一定の割合ずつ配置して変調信号を生成する。一方、サブキャリア割当部１２０４は、再送制御部１２０３から再送の指示があった場合には、この指示に従って変調シンボルをサブキャリアに配置して変調信号を生成する。
【０１５４】
送信部１２０５は、サブキャリア割当部１２０４によって生成された変調信号に対し、デジタル／アナログ変換やアップコンバート等の処理を行い、送信信号を生成する。
アンテナ１２０６は、送信部１２０５によって生成された送信信号を無線により送信するとともに、無線信号（特に重畳帯域情報信号）を受信する。
【０１５５】
図３０及び図３１は、受信装置１００１によって受信される所望信号と干渉信号との概略を表す。図３０において、符号Ｘは所望信号を表し、符号Ｙは干渉信号を表す。また、図３０の横軸は周波数を表す。図示されるように、所望信号は５つのサブキャリアｓｃ１〜ｓｃ５によって構成され、所望信号のサブキャリアのうち２つのサブキャリアｓｃ４及びｓｃ５が干渉信号Ｙと干渉している。
【０１５６】
以下、図３０及び図３１を用いて再送信号受信制御部１１０９、誤り判定部１１１０、再送制御部１２０３の処理について説明する。図３０は、再送がされる前に送信された所望信号の具体例を表す。この場合、サブキャリアｓｃ１〜ｓｃ５にはそれぞれ変調シンボルｄ１〜ｄ５が配置されている。しかしながら、上述したようにサブキャリアｓｃ４及びｓｃ５には干渉が生じており、誤り訂正によっても送信されたデータを正しく復元することができない。そのため、この所望信号に基づいて復号化部１１０８によって生成された受信データは、誤り判定部１１１０によって誤りが検出される。この場合、誤り判定部１１１０は、この受信データについての再送指示情報を生成し、この再送指示情報を含むＮＡＣＫを生成し送信する。
【０１５７】
図３１は、再送制御部１２０３による再送制御によって生成された再送時の所望信号の具体例を表す。再送制御部１２０３は、ＮＡＣＫが受信されると、再送指示情報に基づき再送すべきパケットを特定し、このパケットを構成する各変調シンボルを特定する。また、再送制御部１２０３は、重畳帯域情報に基づき、干渉が生じていない非干渉サブキャリアを特定する。そして、再送制御部１２０３は、一時的に記憶している複数の変調シンボルの中から再送すべき変調シンボルの値を読み出し、非干渉サブキャリアに対してこれらの変調シンボルを配置することを、サブキャリア割当部１２０４に対して指示する。このような指示に従って、サブキャリア割当部１２０４は変調シンボルを指示された非干渉サブキャリアに割り当てて変調信号を生成する。そして、再送制御部１２０３は、再送されるパケットの信号がどのサブキャリアに割り当てられたかを表す情報（例えば、サブキャリアの周波数とタイムスロットを表す情報）を再送制御情報として生成し、アンテナ１２０６を介して受信装置１００１に送信する。
【０１５８】
非干渉サブキャリアの数よりも再送すべき変調シンボルの数の方が大きい場合、再送制御部１２０３は、全ての変調シンボルの再送が完了するまで繰り返し再送を実行する。すなわち、再送制御部１２０３は、まず再送すべき変調シンボルの一部を、干渉が生じていないサブキャリアに割り当てる。図３１（ａ）では、再送制御部１２０３は、再送すべき変調シンボルｄ１〜ｄ５のうちの一部であるｄ１〜ｄ３をそれぞれ非干渉サブキャリアｓｃ１〜ｓｃ３にそれぞれ割り当てる。次に、再送制御部１２０３は、再送すべき変調シンボルのうち、まだ再送されていない変調シンボルを、干渉が生じていないサブキャリアに割り当てる。図３１（ｂ）では、未送信の変調シンボルｄ４及びｄ５をそれぞれ非干渉サブキャリアｓｃ１及びｓｃ２に割り当てる。再送制御部１２０３はこの処理を繰り返し実行し、全ての再送すべき変調シンボルを再送する。そして、再送制御部１２０３は、再送されるパケットの信号がどのサブキャリアに割り当てられたかを表す情報（例えば、サブキャリアの周波数とタイムスロットを表す情報）を再送制御情報として生成し、アンテナ１２０６を介して受信装置１００１に送信する。この場合、再送制御情報は、一つのパケットが複数の所望信号に分割されたその分割数を表すように構成されても良いし、一つのパケットが分割された後のサイズを表すように構成されても良い。
【０１５９】
再送信号受信制御部１１０９は、再送制御情報が受信されると、再送制御情報に基づいて、再送されてきた信号から受信データを生成する。例えば、図３１のように、再送対象となった所望信号が複数回に分けて送信された場合、再送制御情報に基づいて全ての所望信号が受信されるまで復号化部１１０８から出力される受信データ（復号ビット）をバッファリングし、全ての復号ビットが揃ってから合成処理を行うことによって一つの受信データを生成する。そして、再送信号受信制御部１１０９は、生成された受信データを誤り判定部１１１０に出力する。
【０１６０】
次に、受信装置１００１の動作及び処理手順について説明する。
図３２は、受信装置１００１の処理手順を示すフローチャートである。まず、アンテナ１１０１が信号を受信し、受信部１１０２がダウンコンバート及びアナログ／デジタル変換を受信信号に対して行う（ステップＳ１１０１）。次に、復調部１１０６が、受信信号を復調し復調値を生成する（ステップＳ１１０２）。また、重畳帯域情報生成部１１０３が、重畳帯域情報生成処理を実行して重畳帯域情報を生成する。次に、重み付け係数生成部１１０５が、重畳帯域情報に基づいて、各サブキャリアの重み付け係数を生成する（ステップＳ１１０３）。次に、重み付け演算部１１０７が、重み付け係数に基づいて重み付け演算処理を行い、各サブキャリアの復調値を操作する。例えば、重み付け演算部１１０７が、各サブキャリアの復調値に対し、対応する重み付け係数を乗算する（ステップＳ１１０４）。そして、復号化部１１０８が、重み付け係数が乗算された後の各復調値を復号化し（ステップＳ１１０５）、復号化された受信データを生成する。
【０１６１】
次に、再送信号受信制御部１１０９は、再送制御情報が受信されているか否かに基づいて、復号化部１１０８によって生成された受信データが再送信号のものであるか否か、判定する。再送信号の受信である場合には（ステップＳ１１０６−ＹＥＳ）、再送信号受信制御部１１０９は、この受信データをバッファリングし、全ての受信データが揃った時点で再送された受信データを合成し（ステップＳ１１０７）出力する。一方、再送信号の受信でない場合は（ステップＳ１１０６−ＮＯ）、その旨を誤り判定部１１１０に通知する。誤り判定部１１１０は、再送信号の受信でない場合には復号化部１１０８によって生成された受信データについて、ＣＲＣ等にしたがって誤り検出を行い、再送信号の受信である場合には再送信号受信制御部１１０９によって生成された受信データについて、ＣＲＣ等にしたがって誤り検出を行う（ステップＳ１１０８）。誤りが検出された場合（ステップＳ１１０８−ＮＯ）、誤り判定部１１１０はＮＡＣＫを生成し送信する（ステップＳ１１０９）。一方、誤りが検出されない場合は、誤り判定部１１１０はこの受信データをデータ処理部へ出力し（ステップＳ１１１０）、このフローチャート全体の処理を終了する。
【０１６２】
次に、送信装置１００２の動作及び処理手順について説明する。
図３３は、送信装置１００２の再送制御の処理手順を示すフローチャートである。図３３に示すように、送信部１２０５がアンテナ１２０６を介して所望信号を送信すると（ステップＳ１２０１）、送信装置１００２では、再送信号受信制御部１１０９が生成する再送指示情報の受信を待機する。なお、所望信号の生成処理において、この所望信号に含まれる各変調シンボルの値は再送制御部１２０３によって一時的に記憶されている。
【０１６３】
所定時間を経過しても再送指示情報が受信されない場合や、正常に受信されたことを表す情報（ＡＣＫなど）が受信された場合（ステップＳ１２０２−ＮＯ）、再送制御部１２０３が再送処理を行うことなく、この所望信号についての再送制御の処理を終了する。
【０１６４】
一方、ＮＡＣＫが受信された場合や、所定時間内に正常に受信されたことを表す情報が受信されなかった場合（ステップＳ１２０２−ＹＥＳ）、再送制御部１２０３は、再送すべきパケットに含まれる変調シンボル数が、非干渉サブキャリアの数よりも多いか否か判定する（ステップＳ１２０３）。
【０１６５】
再送すべきパケットに含まれる変調シンボル数が、非干渉サブキャリアの数よりも少ない場合、則ちパケットの分割が不要である場合（ステップＳ１２０３−ＹＥＳ）、再送制御部１２０３は、非干渉サブキャリアに対し再送すべき変調シンボルを割り当て直す（ステップＳ１２０４）。そして、サブキャリア割当部１２０４が、この割り当てに従って再送信号の変調信号を生成し、送信部１２０５及びアンテナ１２０６を介して再送信号及び再送制御情報を送信する（ステップＳ１２０５）。
【０１６６】
一方、再送すべきパケットに含まれる変調シンボル数が、非干渉サブキャリアの数よりも多い場合、則ちパケットの分割が必要である場合（ステップＳ１２０３−ＮＯ）、再送制御部１２０３は、非干渉サブキャリアの数に応じて再送すべきパケットを分割する（ステップＳ１２０６）。そして、再送制御部１２０３は、複数のタイムスロットに分けて再送すべき変調シンボルを非干渉サブキャリアに割り当て直す（ステップＳ１２０７）。そして、サブキャリア割当部１２０４が、この割り当てに従って複数の再送信号の変調信号を生成し、送信部１２０５及びアンテナ１２０６を介して再送信号及び再送制御情報を送信する（ステップＳ１２０８）。
【０１６７】
ステップＳ１２０５及びステップＳ１２０８の処理の後、再送制御部１２０３は、再びステップＳ１２０２の判定処理に戻り、ＮＡＣＫが再び受信されるか否か待機する。
【０１６８】
このように構成された受信装置１００１及び送信装置１００２を含む無線通信システムによれば、ＮＡＣＫが送受信されていない場合には、変調部１２０２から出力された複数の変調シンボルが、干渉が生じているサブキャリア及び干渉が生じていないサブキャリアのそれぞれに一定の割合ずつ配置され、マルチキャリア重畳伝送が実現される。そのため、周波数帯域の利用効率を高めることが可能となる。
【０１６９】
一方、マルチキャリア重畳伝送において干渉によりパケットの受信に誤りが生じてしまった場合には、受信装置１００１からＮＡＣＫが送信され、非干渉サブキャリアを用いた再送が実現される。そのため、マルチキャリア重畳伝送のように干渉が生じやすい環境においても正常に送信処理を完了させることが可能となり、さらには再送時における誤り発生確率を低減させ受信品質を改善させることが可能となる。
【０１７０】
＜変形例＞
受信装置１００１の重畳帯域情報生成部１１０３は、受信された全ての信号について重畳帯域情報を生成するように構成されても良いし、定期的に重畳帯域情報を生成するように構成されても良い。同様に、受信装置１００１の重畳帯域情報信号送信部１１０４は、受信された全ての信号についての重畳帯域情報信号を送信するように構成されても良いし、定期的に重畳帯域情報信号を送信するように構成されても良い。
【０１７１】
また、受信装置１００１及び送信装置１００２を含む無線通信システムにおいて採用されるサブキャリアの配置方式は、分散型であっても良いし、連続型であっても良い。
【０１７２】
また、上述した無線通信システムでは、受信装置１００１及び送信装置１００２がＮＡＣＫの送受信によって再送の制御を行っているが、ＡＣＫの送受信によって再送の制御を行うように構成されても良い。この場合、受信装置１００１は、正しく受信できた場合（図３２：ステップＳ１１０８−ＹＥＳ）には、送信装置１００２に対しＡＣＫを送信し、ステップＳ１１１０において受信データを出力する。一方、受信装置１００１は、正しく受信できなかった場合（図３２：ステップＳ１１０８−ＮＯ）、ＮＡＣＫ送信（ステップＳ１１０９）を行うことなく、ステップＳ１１０１の処理に戻る。また、このように構成された場合の送信装置１００２は、図３３のステップＳ１２０１において信号を送信した後、ステップＳ１２０２において送信後一定時間の間にＡＣＫを受信したか否か判定する。送信装置１００２は、送信後一定時間の間にＡＣＫを受信しなかった場合にはステップＳ１２０３の処理へ進み、逆に送信後一定時間の間にＡＣＫを受信した場合にはエンドへ進み処理を終える。
【０１７３】
［第４の実施形態］
図３４は、本実施形態に係る送信装置１００２が配置されるネットワーク環境の概略を表す概略図である。なお、本実施形態に係る送信装置１００２の構成は、再生制御部１２０３の動作が以下に述べるように異なる点を除いて、図２９に示した送信装置の構成と同様である。送信装置１００２は、複数の受信装置（図３４の場合は２台の受信装置１００１Ａ及び受信装置１００１Ｂ）に対し、利用可能な周波数帯域のサブキャリアをそれぞれの受信装置１００１Ａ及び受信装置１００１Ｂに分配し、所望信号を送信する。図３４の場合、送信装置１００２は６つのサブキャリアｓｃ１〜ｓｃ６を利用可能であり、そのうち３つのサブキャリアｓｃ１〜ｓｃ３を受信装置１００１Ｂに対して割り当て、残る３つのサブキャリアｓｃ４〜ｓｃ６を受信装置１００１Ａに割り当てる。
【０１７４】
同一の送信装置１００２から送信された所望信号を受信する受信装置であっても、その受信環境が異なれば干渉の有無も変化する。例えば、図３４において、受信装置１００１Ａは干渉源１００３から干渉信号を受信する環境にあるため、受信された所望信号のうちサブキャリアｓｃ５及びｓｃ６については正しく受信できない。一方、受信装置１００１Ｂは干渉源１００３から十分に距離が離れているため、受信される干渉信号の受信強度が小さく、サブキャリアｓｃ４〜ｓｃ６の周波数帯域においても正しく受信できる。
【０１７５】
そこで、本実施形態における送信装置１００２の再送制御部１２０３は、ある受信装置（ここでは、受信装置１００１Ａとする）から再送指示情報が受信された場合、再送指示情報を送信してきた受信装置１００１Ａの重畳帯域情報に基づいて、送信装置１００２が利用可能な周波数帯域の全てのサブキャリアの中から、則ち、その時点で当該受信装置１００１Ａに対して割り当てられていないサブキャリア（図３４におけるサブキャリアｓｃ１〜ｓｃ３）及び当該受信装置１００１Ａに既に割り当てられているサブキャリア（サブキャリアｓｃ４〜ｓｃ６）の全ての中から、再送に用いる非干渉サブキャリアを選択する。
【０１７６】
図３５は、図３４のネットワーク環境における所望信号と干渉信号の概略を表す図である。図３５（ａ）において、符号Ｘ−Ｂによって表されるサブキャリアｓｃ１〜ｓｃ３は、再送がされる前に受信装置１００１Ｂに対して送信された所望信号を表し、各サブキャリアには変調シンボルｂｄ１〜ｂｄ３がそれぞれ配置される。図３５（ａ）において、符号Ｘ−Ａによって表されるサブキャリアｓｃ４〜ｓｃ６は、再送がされる前に受信装置１００１Ａに対して送信された所望信号を表し、各サブキャリアには変調シンボルａｄ１〜ａｄ３がそれぞれ配置される。
【０１７７】
図３５（ｂ）は、本実施形態における再送制御部１２０３による再送制御によって生成された再送時の所望信号の具体例を表す。再送制御部１２０３は、ＮＡＣＫが受信されると、再送指示情報に基づき再送すべきパケットを特定し、このパケットを構成する各変調シンボルを特定する。また、再送制御部１２０３は、重畳帯域情報に基づき、ＮＡＣＫを送信してきた受信装置１００１Ａに対して割り当てられているか否かに関わらず、利用可能な全てのサブキャリアの中から、この受信装置１００１Ａにおいて干渉が生じていない非干渉サブキャリアを特定する。例えば、再送制御部１２０３は、干渉信号が検出されたサブキャリアｓｃ５及びｓｃ６から周波数軸上で最も離れたサブキャリアを、再送に用いるサブキャリアとして選択する。図３５（ｂ）の場合、再送制御部１２０３は、サブキャリアｓｃ１〜ｓｃ３を選択する。そして、再送制御部１２０３は、一時的に記憶している複数の変調シンボルの中から再送すべき変調シンボルａｄ１〜ａｄ３の値を読み出し、選択された非干渉サブキャリアに対してこれらの変調シンボルを配置することを、サブキャリア割当部１２０４に対して指示する。さらに、再送制御部１２０３は、他の受信装置１００１Ｂに対し、残ったサブキャリアｓｃ４〜ｓｃ６を割り当て、これらサブキャリアｓｃ４〜ｓｃ６に対して新たに送信する変調シンボルｂｄ４〜ｂｄ６を配置することをサブキャリア割当部１２０４に指示する。このような指示に従って、サブキャリア割当部１２０４は変調シンボルを指示された非干渉サブキャリアに割り当てて変調信号を生成する。そして、再送制御部１２０３は、再送されるパケットの信号がどのサブキャリアに割り当てられたかを表す情報（例えば、サブキャリアの周波数とタイムスロットを表す情報）を再送制御情報として受信装置毎に生成し、アンテナ１２０６を介して各受信装置１００１Ａ，１００１Ｂに送信する。
【０１７８】
このように構成された本実施形態における送信装置１００２によれば、非干渉サブキャリアの選択は、再送が行われる前の時点で各受信装置に割り当てられている周波数帯域のサブキャリアに限らず、送信装置１００２が利用可能な全ての周波数帯域のサブキャリアから行われる。そのため、再送処理に用いられる非干渉サブキャリアの選択の自由度が向上し、これに伴って再送時の送信速度や送信品質を向上させることが可能となる。
【０１７９】
以上、本発明の実施形態について図面を参照して詳述したが、具体的な構成はこの実施形態に限られるものではなく、本発明の要旨を逸脱しない範囲の設計等（構成の付加，省略，置換，およびその他の変更）も含まれる。本発明は前述した説明によって限定されることはなく、添付の請求の範囲によってのみ限定される。
【産業上の利用可能性】
【０１８０】
本発明は、例えば、干渉信号が存在する無線通信環境におけるマルチキャリア伝送方式の無線通信に利用可能である。本発明によれば、システマティックビット及びパリティビットを生成する誤り訂正を適用しているマルチキャリア無線通信システムにおいて、受信品質を向上させることができる。また、本発明によれば、マルチキャリア重畳伝送のように干渉が生じやすい環境においても正常に送信処理を完了させることができ、再送時における誤り発生確率を低減させて受信品質を改善することができる。
【符号の説明】
【０１８１】
１００、１００ａ、１００ｂ、１００ｃ、１００ｄ…送信装置
１１０…符号化器
１２０…システマティックビット用インタリーバ
１３０…パリティビット用インタリーバ
１４０，１４１…データ割当器
１４５…非重畳帯域用インタリーバ
１４６…重畳帯域用インタリーバ
１５０、１５０−１、１５０−２、１５１−１、１５１−２…変調器
１６０…ＯＦＤＭ変調器
１７０…記憶部
１８０…デインタリーバ
１９０…インタリーバ
２００、２００ａ…受信装置
２１０…ＯＦＤＭ復調器
２２０…復調器
２３０…デインタリーバ
２４０…インタリーバ
２４５…非重畳帯域用デインタリーバ
２４６…重畳帯域用デインタリーバ
２５０…データ抽出器
２６０…システマティックビット用デインタリーバ
２７０…パリティビット用デインタリーバ
２８０…復号器
２９０…記憶部
３００…受信装置
３０１…重畳帯域検出器
３０２…重み付け係数生成器
３０３…復調器
３０４…重み付け演算器
３０５…復号器
４００…受信装置
４０１…アンテナ
４０２…受信部
４０３…干渉情報抽出部
４０４…フィルタ制御部
４０５…遅延部
４０６…フィルタ
４０７…復調部
４０８…デインタリーバ
４０９…ＦＥＣ復号部
１００１、１００１Ａ、１００１Ｂ…受信装置
１１０１…アンテナ
１１０２…受信部
１１０３…重畳帯域情報生成部
１１０４…重畳帯域情報信号送信部
１１０５…重み付け係数生成部
１１０６…復調部
１１０７…重み付け演算部
１１０８…復号化部
１１０９…再送信号受信制御部
１１１０…誤り判定部
１００２…送信装置
１２０１…符号化部
１２０２…変調部
１２０３…再送制御部
１２０４…サブキャリア割当部
１２０５…送信部
１２０６…アンテナ
【図１】
2010070898.tif 000003
【図２】
2010070898.tif 000004
【図３】
2010070898.tif 000005
【図４】
2010070898.tif 000006
【図５Ａ】
2010070898.tif 000007
【図５Ｂ】
2010070898.tif 000008
【図５Ｃ】
2010070898.tif 000009
【図５Ｄ】
2010070898.tif 000010
【図６】
2010070898.tif 000011
【図７】
2010070898.tif 000012
【図８】
2010070898.tif 000013
【図９】
2010070898.tif 000014
【図１０】
2010070898.tif 000015
【図１１】
2010070898.tif 000016
【図１２】
2010070898.tif 000017
【図１３】
2010070898.tif 000018
【図１４】
2010070898.tif 000019
【図１５】
2010070898.tif 000020
【図１６】
2010070898.tif 000021
【図１７】
2010070898.tif 000022
【図１８】
2010070898.tif 000023
【図１９Ａ】
2010070898.tif 000024
【図１９Ｂ】
2010070898.tif 000025
【図１９Ｃ】
2010070898.tif 000026
【図１９Ｄ】
2010070898.tif 000027
【図２０Ａ】
2010070898.tif 000028
【図２０Ｂ】
2010070898.tif 000029
【図２１】
2010070898.tif 000030
【図２２】
2010070898.tif 000031
【図２３】
2010070898.tif 000032
【図２４】
2010070898.tif 000033
【図２５】
2010070898.tif 000034
【図２６】
2010070898.tif 000035
【図２７】
2010070898.tif 000036
【図２８】
2010070898.tif 000037
【図２９】
2010070898.tif 000038
【図３０】
2010070898.tif 000039
【図３１】
2010070898.tif 000040
【図３２】
2010070898.tif 000041
【図３３】
2010070898.tif 000042
【図３４】
2010070898.tif 000043
【図３５】
2010070898.tif 000044
【図３６】
2010070898.tif 000045
【国際調査報告】
2010070898.tif 000046
2010070898.tif 000047
2010070898.tif 000048
2010070898.tif 000049